(57)【要約】  流動射出弁は、固定部材と、可動部材と、可動部材の表面とインターフェイス接続する固定部材の表面と、少なくとも１つのピン遮断弁とを有し、ピン遮断弁は、流動内部導管を有し、かつ内部導管が可動部材の少なくとも１つの流動導管とインターフェイス接続することができるように移動可能に位置決めされる。ピン遮断弁は、内部導管も可動部材における別の流動内部導管と流動連通することができるように、移動可能に位置決めされる。流動射出弁は、複合弁として働き、典型的には高圧液体クロマトグラフィ（ＨＰＬＣ）システムの従来の面密封弁に代わるように、同様の流動遮断弁と組み合わせることができる。複合弁は、高圧で切り換えるまたは回転する必要なく、流れを運ぶことが可能である。移動は、回転または並進によるものである。【特許請求の範囲】
【請求項１】
流動射出弁であって、
固定部材と、
可動部材とを備え、前記固定部材の表面が、前記可動部材の表面とインターフェイス接続し、前記流動射出弁がさらに、
少なくとも１つのピン遮断弁を備え、
前記少なくとも１つのピン遮断弁が、流動内部導管を有し、
前記少なくとも１つのピン遮断弁は、前記内部導管が、前記可動部材内の少なくとも１つの流動導管と流体連通することが可能なように移動可能に配置され、
前記少なくとも１つのピン遮断弁は、前記内部導管が、前記可動部材内の別の流動導管と流体連通することが可能なように移動可能に配置される、流動射出弁。
【請求項２】
前記可動部材が、
前記可動部材の表面に開口する第１および第２のピン遮断弁の内部導管とインターフェイス接続する第１および第２の導管と、
前記第１のピン遮断弁の前記内部導管と第２のピン遮断弁の前記内部導管との間の流体連通を可能にする第３の導管と、
流体流を提供する第３のピン遮断弁の内部導管と前記流体流を排出する第４のピン遮断弁の内部導管との間の流体流通を可能にする第４の導管とを備える、請求項１に記載の流動射出弁。
【請求項３】
前記可動部材が、回転軸の周りの回転によって移動する、請求項１に記載の流動射出弁。
【請求項４】
前記可動部材が、直線または曲線並進の少なくとも一方によって移動する、請求項１に記載の流動射出弁。
【請求項５】
前記少なくとも１つのピン遮断弁の１つが、高圧液体クロマトグラフィ（ＨＰＬＣ）システムの試料ループに流体結合される、請求項１に記載の流動射出弁。
【請求項６】
前記少なくとも１つのピン遮断弁の１つが、高圧液体を高圧液体クロマトグラフィ（ＨＰＬＣ）システムに供給するポンプと流体連通される、請求項１に記載の流動射出弁。
【請求項７】
前記少なくとも１つのピン遮断弁の１つが、高圧液体クロマトグラフィ（ＨＰＬＣ）システムから高圧液体を排出するカラムに流体結合される、請求項１に記載の流動射出弁。
【請求項８】
回転軸の周りに配置される流動噴射弁であって、
回転軸の周りに配置された少なくとも２つの対向する弁端部と、
前記弁端部間に配置された回転子を備える可動部材とを備え、前記回転子の回転軸が、前記流動射出弁の回転軸と平行であるか一致するいずれかであり、前記回転子は、前記回転子の方向が、前記回転子の回転軸の周りの回転により変化することができるように配置されており、
前記回転子が、
外側表面と、
前記外側表面とそれぞれ交差する少なくとも２つの対向表面と、
前記少なくとも２つの対向表面の第１の表面上の開口部、および前記少なくとも２つの対向表面の第２の表面上の開口部を有する第１の流動導管と、
前記少なくとも２つの対向表面の第１の表面上の開口部、および前記少なくとも２つの対向表面の第２の表面上の開口部を有する第２の流動導管と、
前記外側表面上の開口部、および前記少なくとも２つの対向表面の前記第１の表面上の開口部を有する流動導管と、
前記外側表面上の開口部、および前記少なくとも２つの対向表面の前記第２の表面上の開口部を有する流動導管と、
前記少なくとも２つの対向表面の前記第１の表面上の前記開口部を密封する第１の密封環と、
前記少なくとも２つの対向表面の前記第２の表面上の前記開口部を密封する第２の密封環と、
内部導管を有する第１のピン遮断弁とを備え、前記第１のピン遮断弁が、前記流動射出弁の回転軸と平行に移動するように配置され、前記第１のピン遮断弁が、前記内部導管を通して、前記少なくとも２つの対向表面の前記第１の表面上の前記第１の流動チャネル上の前記開口部と流体連通することが可能なように、移動可能に配置されると共に、前記内部導管を通して、前記外側表面上の開口部および前記少なくとも２つの対向表面の前記第２の表面上の開口部を有する前記流動導管と流体連通することが可能なように、移動可能に配置され、前記回転子がさらに、
内部導管を有する第２のピン遮断弁を備え、前記第２のピン遮断弁が、前記流動射出弁の中心線と平行に移動するように配置され、前記第２のピン遮断弁が、前記内部導管を通して、前記少なくとも２つの対向表面の前記第２の表面上の前記第１の流動チャネル上の前記開口部と流体連通することが可能なように、移動可能に配置されると共に、前記内部導管を通して、前記外側表面上の開口部および前記少なくとも２つの対向表面の前記第２の表面上の開口部を有する前記流動導管と流体連通することが可能なように、移動可能に配置され、前記回転子がさらに、
内部導管を有する第３のピン遮断弁を備え、前記第３のピン遮断弁が、前記流動射出弁の中心線と平行に移動するように配置され、前記第３のピン遮断弁が、前記内部導管を通して、前記少なくとも２つの対向表面の前記第１の表面上の前記第２の流動チャネル上の前記開口部と流体連通することが可能なように、移動可能に配置されると共に、前記内部導管を通して、前記外側表面上の開口部および前記少なくとも２つの対向表面の前記第２の表面上の開口部を有する前記流動導管と流体連通することが可能なように、移動可能に配置され、前記回転子がさらに、
内部導管を有する第４のピン遮断弁を備え、前記第４のピン遮断弁が、前記流動射出弁の中心線と平行に移動するように配置され、前記第４のピン遮断弁が、前記内部導管を通して、前記少なくとも２つの対向表面の前記第２の表面上の前記第２の流動チャネル上の前記開口部と流体連通することが可能なように、移動可能に配置されると共に、前記内部導管を通して、前記外側表面上の開口部および前記少なくとも２つの対向表面の前記第２の表面上の開口部を有する前記流動導管と流体連通することが可能なように、移動可能に配置される、流動射出弁。
【請求項９】
前記回転子がさらに、
外側表面、および前記回転子の外側表面の少なくとも一部を囲む内側表面を有する回転子クランプと、
前記回転子の前記外側表面上の第１の開口部と一致するように、前記回転子クランプを貫通する、前記回転子クランプの外側表面上の第１の開口部と、
前記回転子の前記外側表面上の第２の開口部と一致するように、前記回転子クランプを貫通する、前記回転子クランプの外側表面上の第２の開口部とを備える、請求項８に記載の流動射出弁。
【請求項１０】
前記回転子クランプがさらに、前記回転子の回転軸の周りに回転するように前記回転子を駆動する駆動手段を備える、請求項９に記載の流動射出弁。
【請求項１１】
前記回転子クランプの駆動手段が、ギア駆動オペレータを備える、請求項１０に記載の流動射出弁。
【請求項１２】
前記回転子クランプの駆動手段が、ハンドルオペレータを備える、請求項１０に記載の流動射出弁。
【請求項１３】
前記弁端部の少なくとも１つは、
前記少なくとも１つのピン遮断弁を囲み、かつ前記回転子と隣接した固定子と、
前記固定子内に囲まれ、かつ前記少なくとも１つのピン遮断弁を密封するために前記少なくとも１つのピン遮断弁を囲む密封層と、
皿ばねワッシャと、
皿ばねと、
荷重ワッシャと、
球状ナットとを備え、
前記皿ばねワッシャ、前記皿ばね、前記荷重ワッシャ、および前記球状ナットが、前記ピン遮断弁を囲む前記密封層を密封するために、軸力を加えるように軸方向に配置される、請求項８に記載の流動射出弁。
【請求項１４】
前記密封層が、ＰＥＥＫ（ポリエーテルエーテルケトン）およびＰＴＦＥ（ポリテトラフルオロエチレン）の少なくとも一方からなる、請求項１３に記載の流動射出弁。
【請求項１５】
前記回転子が、ＰＥＥＫ混合物からなる、請求項８に記載の流動射出弁。
【請求項１６】
前記回転子クランプが、ステンレススチールからなる、請求項９に記載の流動射出弁。
【請求項１７】
前記ステンレススチールが、タイプ３１６ステンレススチールである、請求項１６に記載の流動射出弁。
【請求項１８】
前記第１および第２のピン遮断弁のいずれかが、高圧液体クロマトグラフィ（ＨＰＬＣ）システムの試料ループに流体結合される、請求項８に記載の流動射出弁。
【請求項１９】
前記第３および第４のピン遮断弁のいずれかが、高圧液体クロマトグラフィ（ＨＰＬＣ）システムに高圧液体を供給するポンプと流体連通される、請求項８に記載の流動射出弁。
【請求項２０】
前記第３および第４のピン遮断弁のいずれかが、高圧液体クロマトグラフィ（ＨＰＬＣ）システムに高圧液体を排出するカラムと流体連通される、請求項８に記載の流動射出弁。
【請求項２１】
流動射出弁であって、
表面でインターフェイス接続する固定部材および可動部材を備え、前記可動部材が、前記表面に沿って摺動するように配置され、前記流動射出弁がさらに、
前記固定部材および前記可動部材の間に配置され、かつ前記表面によって境界付けられたチャンバを備え、
前記可動部材が、前記チャンバとインターフェイス接続する第１の開口部、および前記チャンバとインターフェイス接続しない前記可動部材の表面上の第２の開口部を有する第１の流動導管を有し、
前記可動部材が、前記チャンバとインターフェイス接続する第１の開口部、および前記チャンバとインターフェイス接続しない前記可動部材の表面上の第２の開口部を有する第２の流動導管を有し、
前記可動部材が、それぞれ前記チャンバとインターフェイス接続する前記可動部材の表面上の第１の開口部および第２の開口部を有する第３の流動導管を有し、
前記可動部材が、それぞれ前記チャンバとインターフェイス接続する前記可動部材の表面上の第１の開口部および第２の開口部を有する第４の流動導管を有する、流動射出弁。
【請求項２２】
（ａ）第１のピン遮断弁、（ｂ）第２のピン遮断弁、（ｃ）第３のピン遮断弁、および（ｄ）第４のピン遮断弁の少なくとも１つをさらに備える流動射出弁であって、
前記第１のピン遮断弁が、内部導管を有し、
前記第１のピン遮断弁は、前記内部導管が、前記可動部材の前記第１の流動導管上の前記第１の開口部と流体連通することができるように、前記チャンバとインターフェイス接続する前記固定部材内の開口部内に移動可能に配置され、
前記第１のピン遮断弁は、前記内部導管が、前記チャンバ内の前記第３の導管の前記第１の開口部と流体連通することができるように、移動可能に配置され、
前記第２のピン遮断弁が、内部導管を有し、
前記第２のピン遮断弁は、前記内部導管が、前記可動部材の前記第２の流動導管上の前記第１の開口部と流体連通することができるように、前記チャンバとインターフェイス接続する前記固定部材内の開口部内に移動可能に配置され、
前記第２のピン遮断弁は、前記内部導管が、前記可動部材の前記第２の流動導管上の前記第１の開口部と流体連通することができるように、移動可能に配置され、
前記第３のピン遮断弁が、内部導管を有し、
前記第３のピン遮断弁は、前記内部導管が、前記第４の流動導管の前記第１の開口部と流体連通することができるように、前記チャンバとインターフェイス接続する前記固定部材内の開口部内に移動可能に配置され、
前記第３のピン遮断弁は、前記内部導管が、前記第１の流動導管の前記第１の開口部と流体連通することができるように、移動可能に配置され、
前記第４のピン遮断弁が、内部導管を有し、
前記４のピン遮断弁は、前記内部導管が、前記第４の流動導管の前記第２の開口部と流体連通することができるように、前記チャンバとインターフェイス接続する前記固定部材内の開口部内に移動可能に配置され、
前記第４のピン遮断弁は、前記内部導管が、前記第２の流動導管の前記第２の開口部と流体連通することができるように、移動可能に配置される、請求項２１に記載の流動射出弁。
【請求項２３】
前記固定部材および前記可動部材を囲むハウジングをさらに備える、請求項２１に記載の流動射出弁。
【請求項２４】
前記固定部材および前記可動部材、ならびに前記ピン遮断弁の少なくとも１つを囲むハウジングさらに備え、前記少なくとも１つのピン遮断弁の前記内部導管が、前記ハウジングを貫通する導管に流体結合される、請求項２２に記載の流動射出弁。
【請求項２５】
前記可動部材の少なくとも１つを駆動する駆動手段をさらに備える、請求項２１に記載の流動射出弁。
【請求項２６】
前記駆動手段が、リニア電気モータである、請求項２５に記載の流動射出弁。
【請求項２７】
前記流動射出弁の前記第１および第２のピン遮断弁のいずれかが、高圧液体クロマトグラフィ（ＨＰＬＣ）システムの試料ループに流体結合される、請求項２１に記載の流動射出弁。
【請求項２８】
前記流動射出弁の前記第３および第４のピン遮断弁のいずれかが、高圧液体クロマトグラフィ（ＨＰＬＣ）システムに高圧液体を供給するポンプと流体連通される、請求項２１に記載の流動射出弁。
【請求項２９】
前記流動射出弁の前記第３および第４のピン遮断弁のいずれかが、高圧液体クロマトグラフィ（ＨＰＬＣ）システムから高圧液体を排出するカラムと流体連通される、請求項２１に記載の流動射出弁。
【請求項３０】
前記流動射出弁の前記ハウジングが、圧力を大気圧より高く保持することが可能である、請求項２３に記載の流動射出弁。
【請求項３１】
前記可動部材が、ＰＥＥＫ（ポリエーテルエーテルケトン）混合物からなる、請求項４に記載の流動射出弁。
【請求項３２】
前記可動部材が、（ａ）金属、（ｂ）ポリマー、および（ｃ）サファイアの少なくとも１つからなる、請求項４に記載の流動射出弁。
【請求項３３】
前記直線射出弁の前記固定部材と前記可動部材との間の前記インターフェイス表面が、少なくとも１つのリップシールによって密封される、請求項４に記載の流動射出弁。
【請求項３４】
前記ピン遮断弁の前記開口部の少なくとも１つが、リップシールによって密封される、請求項２１に記載の流動射出弁。
【請求項３５】
前記リップシールが、自己付勢する、請求項３３に記載の複合弁。
【請求項３６】
前記リップシールが、自己付勢する、請求項３４に記載の複合弁。
【請求項３７】
複合弁であって、
ハウジングと、
前記ハウジング内に配置された回転流動遮断弁とを備え、前記回転流動遮断弁が、流体流を遮断するために軸方向に向けられ、かつ軸方向に向けられた中心線の周りに配置され、
前記回転流動遮断弁が、
中心線の周りに配置された少なくとも２つの対向する弁端部と、
前記弁端部間に配置される回転子とを備え、前記回転子の中心線が、前記回転流動遮断弁の中心線とほぼ平行でありかつ一致しており、前記回転子の方向を、前記回転子の中心線の周りの回転によって変えることができるように配置され、前記回転子が、
外側表面と、
前記外側表面とそれぞれ交差する少なくとも２つの対向表面と、
前記少なくとも２つの対向表面の第１の表面上の開口部、および前記少なくとも２つの対向表面の第２の表面上の開口部を有する流動導管と、
前記外側表面上の開口部、および前記少なくとも２つの対向表面の前記第１の表面上の開口部を有する流動導管と、
前記外側表面上の開口部、および前記少なくとも２つの対向表面の前記第２の表面上の開口部を有する流動導管と、
前記少なくとも２つの対向表面の前記第１の表面上の少なくとも１つのブランク開口部と、
前記少なくとも２つの対向表面の前記第２の表面上の少なくとも１つのブランク開口部と、
前記少なくとも２つの対向表面の前記第１の表面上の前記開口部を密封する第１の密封環と、
前記少なくとも２つの対向表面の前記第２の表面上の前記開口部を密封する第２の密封環と、
前記遮断弁の中心線に沿って移動するように配置される第１のピン遮断弁とを備え、前記第１のピン遮断弁が、前記少なくとも２つの対向表面の前記第１の表面上の前記少なくとも１つのブランク開口部と流体連通することが可能なように、移動可能に配置されると共に、前記外側表面上の開口部および前記少なくとも２つの対向表面の第２の表面上の開口部を有する前記流動導管と流体連通することが可能なように、移動可能に配置され、前記回転子がさらに、
前記遮断弁の中心線に沿って移動するように配置される第２のピン遮断弁とを備え、前記第２のピン遮断弁が、前記少なくとも２つの対向表面の前記第２の表面上の前記少なくとも１つのブランク開口部と流体連通することが可能なように、移動可能に配置されると共に、前記外側表面上の開口部および前記少なくとも２つの対向表面の前記第２の表面上の開口部を有する前記流動導管と流体連通することが可能なように、移動可能に配置され、前記複合弁がさらに、
下流側レセプタクルへの流体流を遮断するために前記ハウジング内に配置される回転流動射出弁を備え、前記回転流動射出弁が、軸方向に向けられた中心線周りに配置されると共に、中心線の周りに配置された少なくとも２つの対向する弁端部、および前記弁端部間に配置される回転子を備え、前記回転子の中心線が、前記射出弁の中心線と平行でありかつ一致し、前記回転子は、前記回転子の方向が、前記回転子の中心線の周りの回転によって変わることができるように配置され、
前記回転子が、
外側表面と、
前記外側表面とそれぞれ交差する少なくとも２つの対向表面と、
前記少なくとも２つの対向表面の第１の表面上の開口部、および前記少なくとも２つの対向表面の第２の表面上の開口部を有する第１の流動導管と、
前記少なくとも２つの対向表面の第１の表面上の開口部、および前記少なくとも２つの対向表面の第２の表面上の開口部を有する第２の流動導管と、
前記外側表面上の開口部、および前記少なくとも２つの対向表面の前記第１の表面上の開口部を有する流動導管と、
前記外側表面上の開口部、および前記少なくとも２つの対向表面の前記第２の表面上の開口部を有する流動導管と、
前記少なくとも２つの対向表面の前記第１の表面上の前記開口部を密封する第１の密封環と、
前記少なくとも２つの対向表面の前記第２の表面上の前記開口部を密封する第２の密封環と、
内部導管を有する第１のピン遮断弁とを備え、前記第１のピン遮断弁が、前記射出弁の中心線と平行に移動するように配置され、前記第１のピン遮断弁が、前記少なくとも２つの対向表面の前記第１の表面上の前記第１の流動チャネル上の前記開口部と流体連通することが可能なように、移動可能に配置されると共に、前記外側表面上の開口部および前記少なくとも２つの対向表面の前記第２の表面上の開口部を有する前記流動導管と流体連通することが可能なように、移動可能に配置され、前記回転子がさらに、
内部導管を有する第２のピン遮断弁を備え、前記第２のピン遮断弁が、前記射出弁の中心線と平行に移動するように配置され、前記第２のピン遮断弁が、前記少なくとも２つの対向表面の前記第２の表面上の前記第１の流動チャネル上の前記開口部と流体連通することが可能なように、移動可能に配置されると共に、前記外側表面上の開口部および前記少なくとも２つの対向表面の前記第２の表面上の開口部を有する前記流動導管と流体連通することが可能なように、移動可能に配置され、前記回転子がさらに、
内部導管を有する第３のピン遮断弁を備え、前記第３のピン遮断弁が、前記射出弁の中心線と平行に移動するように配置され、前記第３のピン遮断弁が、前記少なくとも２つの対向表面の前記第１の表面上の前記第２の流動チャネル上の前記開口部と流体連通することが可能なように、移動可能に配置されると共に、前記外側表面上の開口部および前記少なくとも２つの対向表面の前記第２の表面上の開口部を有する前記流動導管と流体連通することが可能なように、移動可能に配置され、前記回転子がさらに、
内部導管を有する第４のピン遮断弁を備え、前記第４のピン遮断弁が、前記射出弁の中心線と平行に移動するように配置され、前記第４のピン遮断弁が、前記少なくとも２つの対向表面の前記第２の表面上の前記第２の流動チャネル上の前記開口部と流体連通することが可能なように、移動可能に配置されると共に、前記外側表面上の開口部および前記少なくとも２つの対向表面の前記第２の表面上の開口部を有する前記流動導管と流体連通することが可能なように、移動可能に配置さる、複合弁。
【請求項３８】
前記回転流動遮断弁の前記第１のピン遮断弁が、前記回転流動射出弁の前記第３のピン遮断弁と流体結合される、請求項３７に記載の複合弁。
【請求項３９】
前記回転流動遮断弁の前記第２のピン遮断弁が、前記回転流動射出弁の前記第４のピン遮断弁と流体結合される、請求項３７に記載の複合弁。
【請求項４０】
前記回転子のいずれかがさらに、
外側表面、および前記回転子の外側表面の少なくとも一部を囲む内側表面を有する回転子クランプと、
前記回転子の前記外側表面上の第１の開口部と一致するように、前記回転子クランプを貫通する、前記回転子クランプの外側表面上の第１の開口部と、
前記回転子の前記外側表面上の第２の開口部と一致するように、前記回転子クランプを貫通する、前記回転子クランプの外側表面上の第２の開口部とを備える、請求項３７に記載の複合弁。
【請求項４１】
前記回転流動遮断弁がさらに、（ａ）第３のピン遮断弁、および（ｂ）第４のピン遮断弁の少なくとも１つを備え、
前記第３のピン遮断弁が、内部導管を有し、前記第３のピン遮断弁は、前記第３のピン遮断弁の前記内部導管が、前記外側表面上の開口部および前記回転子の前記外側表面と交差する前記少なくとも２つの表面の前記第１の表面上の開口部を有する前記流動導管の前記外側表面上の前記開口部と流体連通するように配置されるように、前記回転子クランプの前記外側表面上の前記第１の開口部内に配置され、
前記第４のピン遮断弁が、内部導管を有し、前記第４のピン遮断弁は、前記第４のピン遮断弁の前記内部導管が、前記外側表面上の開口部および前記回転子の前記外側表面と交差する前記少なくとも２つの表面の前記第２の表面上の開口部を有する前記流動導管の前記外側表面上の前記開口部と流体連通するように配置されるように、前記回転子クランプの前記外側表面上の前記第２の開口部内に配置される、請求項４０に記載の複合弁。
【請求項４２】
前記回転子クランプがさらに、前記回転子の中心線の周りに回転するように前記回転子を駆動する駆動手段を備える、請求項４０に記載の複合弁。
【請求項４３】
前記回転子クランプの駆動手段が、ギア駆動オペレータを備える、請求項４２に記載の複合弁。
【請求項４４】
前記回転子クランプの駆動手段が、ハンドルオペレータを備える、請求項４２に記載の複合弁。
【請求項４５】
前記弁端部の少なくとも１つが、
前記少なくとも１つのピン遮断弁を囲み、かつ前記回転子と隣接した固定子と、
前記固定子内に囲まれ、かつ前記少なくとも１つのピン遮断弁を密封するために前記少なくとも１つのピン遮断弁を囲む密封層と、
皿ばねワッシャと、
皿ばねと、
荷重ワッシャと、
球状ナットとを備え、
前記皿ばねワッシャ、前記皿ばね、前記荷重ワッシャ、および前記球状ナットが、前記ピン遮断弁を囲む前記密封層を密封するために、軸力を加えるように軸方向に配置される、請求項３７に記載の複合弁。
【請求項４６】
前記密封層が、ＰＥＥＫ（ポリエーテルエーテルケトン）およびＰＴＦＥ（ポリテトラフルオロエチレン）の少なくとも一方からなる、請求項４５に記載の複合弁。
【請求項４７】
前記回転子の少なくとも１つが、ＰＥＥＫ混合物からなる、請求項３７に記載の複合弁。
【請求項４８】
前記回転子クランプが、ステンレススチールからなる、請求項４０に記載の複合弁。
【請求項４９】
前記ステンレススチールが、タイプ３１６ステンレススチールである、請求項４８に記載の複合弁。
【請求項５０】
前記回転流動射出弁の前記第１および第２のピン遮断弁のいずれかが、高圧液体クロマトグラフィ（ＨＰＬＣ）システムの試料ループに流体結合される、請求項３７に記載の複合弁。
【請求項５１】
前記回転流動遮断弁の前記第３および第４のピン遮断弁のいずれかが、高圧液体クロマトグラフィ（ＨＰＬＣ）システムに高圧液体を供給するポンプと流体連通される、請求項４１に記載の複合弁。
【請求項５２】
前記回転流動遮断弁の前記第３および第４のピン遮断弁のいずれかが、高圧液体クロマトグラフィ（ＨＰＬＣ）システムに高圧液体を排出するカラムと流体連通される、請求項４１に記載の複合弁。
【請求項５３】
複合弁であって、
ハウジングと、
前記ハウジング内に配置される回転流動遮断弁とを備え、前記回転流動遮断弁が、流体流を遮断するために軸方向に向けられ、かつ回転軸の周りに配置され、
前記回転流動遮断弁が、
回転軸の周りに配置された少なくとも２つの対向する弁端部と、
前記弁端部間に配置される回転子とを備え、前記回転子の回転軸が、前記回転流動遮断弁の回転軸とほぼ平行でありかつ一致しており、前記回転子は、前記回転子の方向を前記回転子の回転軸の周りの回転によって変えることができるように配置され、
前記回転子が、
外側表面と、
前記外側表面とそれぞれ交差する少なくとも２つの対向表面と、
前記少なくとも２つの対向表面の第１の表面上の開口部、および前記少なくとも２つの対向表面の第２の表面上の開口部を有する流動導管と、
前記外側表面上の開口部、および前記少なくとも２つの対向表面の前記第１の表面上の開口部を有する流動導管と、
前記外側表面上の開口部、および前記少なくとも２つの対向表面の前記第２の表面上の開口部を有する流動導管と、
前記少なくとも２つの対向表面の前記第１の表面上の少なくとも１つのブランク開口部と、
前記少なくとも２つの対向表面の前記第２の表面上の少なくとも１つのブランク開口部と、
前記少なくとも２つの対向表面の前記第１の表面上の前記開口部を密封する第１の密封環と、
前記少なくとも２つの対向表面の前記第２の表面上の前記開口部を密封する第２の密封環と、
前記回転流動遮断弁の中心線に沿って移動するように配置される第１のピン遮断弁とを備え、前記第１のピン遮断弁が、前記少なくとも２つの対向表面の前記第１の表面上の前記少なくとも１つのブランク開口部と流体連通することが可能なように、移動可能に配置されると共に、前記外側表面上の開口部および前記少なくとも２つの対向表面の第２の表面上の開口部を有する前記流動導管と流体連通することが可能なように、移動可能に配置され、前記回転子がさらに、
前記遮断弁の中心線に沿って移動するように配置される第２のピン遮断弁を備え、前記第２のピン遮断弁が、前記少なくとも２つの対向表面の前記第２の表面上の前記少なくとも１つのブランク開口部と流体連通することが可能なように、移動可能に配置されると共に、前記外側表面上の開口部および前記少なくとも２つの対向表面の前記第２の表面上の開口部を有する前記流動導管と流体連通することが可能なように、移動可能に配置され、前記複合弁がさらに、
直線流動射出弁を備え、
前記直線流動射出弁が、
固定部材と、
可動部材とを備え、前記固定部材および可動部材が、表面でインターフェイス接続し、前記可動部材が、前記表面に沿って摺動するように配置され、前記直線流動射出弁がさらに、
前記固定部材と前記可動部材との間に配置され、かつ前記表面によって境界付けられたチャンバを備え、
前記可動部材が、前記チャンバとインターフェイス接続する第１の開口部、および前記チャンバとインターフェイス接続しない前記可動部材の表面上の第２の開口部を有する第１の流動導管を有し、
前記可動部材が、前記チャンバとインターフェイス接続する第１の開口部、および前記チャンバとインターフェイス接続しない前記可動部材の表面上の第２の開口部を有する第２の流動導管を有し、
前記可動部材が、それぞれ前記チャンバとインターフェイス接続する前記可動部材の表面上の第１の開口部および第２の開口部を有する第３の流動導管を有し、
前記可動部材が、それぞれ前記チャンバとインターフェイス接続する前記可動部材の表面上の第１の開口部および第２の開口部を有する第４の流動導管を有し、
前記表面上の第２のブランク開口部が、前記チャンバを境界付ける、複合弁。
【請求項５４】
前記直線流動射出弁がさらに、（ａ）第１のピン遮断弁、（ｂ）第２のピン遮断弁、（ｃ）第３のピン遮断弁、および（ｄ）第４のピン遮断弁の少なくとも１つを備え、
前記第１のピン遮断弁が、内部導管を有し、
前記第１のピン遮断弁は、前記第１のピン遮断弁の前記内部導管が、前記可動部材の第１の流動導管上の前記第１の開口部と流体連通するように移動可能に配置されるように、前記チャンバとインターフェイス接続する前記固定部材内の開口部内に配置され、
前記第１の遮断弁の前記内部導管が、前記第３の流体流動導管の前記第１の開口部と流体連通されるように移動可能に配置され、
前記第２のピン遮断弁が、内部導管を有し、
前記第２のピン遮断弁は、前記第２のピン遮断弁の前記内部導管が、前記可動部材の第２の流動導管上の前記第１の開口部と流体連通するように移動可能に配置されるように、前記チャンバとインターフェイス接続する前記固定部材内の開口部内に配置され、
前記第２のピン遮断弁の前記内部導管が、前記第３の流動導管の前記第２の開口部と流体連通するように移動可能に配置され、
前記第３のピン遮断弁が、内部導管を有し、
前記第３のピン遮断弁は、前記第３のピン遮断弁の前記内部導管が、前記第４の流動導管の前記第１の開口部と流体連通するように移動可能に配置されるように、前記チャンバとインターフェイス接続する前記固定部材内の開口部内に配置され、
前記第３のピン遮断弁の前記内部導管が、前記第１の流動導管の前記第１の開口部と流動連通するように移動可能に配置され、
前記第４のピン遮断弁が、内部導管を有し、
前記第４のピン遮断弁は、前記第４のピン遮断弁の前記内部導管が、前記第４の流動導管の前記第２の開口部と流体連通するように移動可能に配置されるように、前記チャンバとインターフェイス接続する前記固定部材内の開口部内に配置され、
前記第４のピン遮断弁の前記内部導管が、前記第２の流動導管上の前記第１の開口部と流体連通するように移動可能に配置される、請求項５３に記載の複合弁。
【請求項５５】
前記直線流動射出弁がさらに、前記固定部材および前記可動部材を囲むハウジングを備える、請求項５３に記載の複合弁。
【請求項５６】
前記直線流動射出弁がさらに、前記固定部材および前記可動部材、ならびに前記ピン遮断弁の少なくとも１つを囲むハウジングさらに備え、前記少なくとも１つのピン遮断弁の前記内部導管が、前記ハウジングを貫通する導管に流体結合される、請求項５４に記載の複合弁。
【請求項５７】
前記直線流動射出弁がさらに、前記可動部材を移動させる駆動手段を備える、請求項５３に記載の複合弁。
【請求項５８】
前記駆動手段が、リニアモータである、請求項５７に記載の複合弁。
【請求項５９】
前記直線流動射出弁の前記第１および第２のピン遮断弁のいずれかが、高圧液体クロマトグラフィ（ＨＰＬＣ）システムの試料ループに流体結合される、請求項５４に記載の複合弁。
【請求項６０】
前記回転遮断弁の前記第３および第４のピン遮断弁のいずれかが、高圧液体クロマトグラフィ（ＨＰＬＣ）システムに高圧液体を供給するポンプと流体連通される、請求項５４に記載の複合弁。
【請求項６１】
前記回転遮断弁の前記第３および第４のピン遮断弁のいずれかが、高圧液体クロマトグラフィ（ＨＰＬＣ）システムから高圧液体を排出するカラムと流体連通される、請求項５４に記載の複合弁。
【請求項６２】
前記直線射出弁の前記ハウジングが、圧力を大気圧より高く保持することが可能である、請求項５５に記載の複合弁。
【請求項６３】
前記直線射出弁の前記ハウジングが、圧力を大気圧より高く保持することが可能である、請求項５６に記載の複合弁。
【請求項６４】
前記可動部材が、ＰＥＥＫ（ポリエーテルエーテルケトン）混合物からなる、請求項５３に記載の複合弁。
【請求項６５】
前記流動遮断弁の前記第１のピン遮断弁が、前記流動射出弁の前記第３のピン遮断弁に流体結合される、請求項５３に記載の複合弁。
【請求項６６】
前記回転流動遮断弁の前記第２のピン遮断弁が、前記回転流動射出弁の前記第４のピン遮断弁に流体結合される、請求項５３に記載の複合弁。
【請求項６７】
前記回転子がさらに、
外側表面、および前記回転子の外側表面の少なくとも一部を囲む内側表面を有する回転子クランプと、
前記回転子の前記外側表面上の前記第１の開口部と一致するように、前記回転子クランプを貫通する前記回転子クランプの外側表面上の第１の開口部と、
前記回転子の前記外側表面上の前記第２の開口部と一致するように、前記回転子クランプを貫通する前記回転子クランプの外側表面上の第２の開口部とを備える、請求項５３に記載の複合弁。
【請求項６８】
前記回転流動遮断弁がさらに、（ａ）第３のピン遮断弁、および（ｂ）第４のピン遮断弁の少なくとも１つを備え、
前記第３のピン遮断弁が、内部導管を有し、前記前記第３のピン遮断弁は、前記第３のピン遮断弁の前記内部導管が、前記外側表面上の開口部および前記回転子の前記外側表面と交差する前記少なくとも２つの表面の前記第１の表面上の開口部を有する前記流動導管の前記外側表面上の前記開口部と流体連通するように配置されるように、前記回転子クランプの前記外側表面上の前記第１の開口部内に配置され、
前記第４のピン遮断弁が、内部導管を有し、前記第４のピン遮断弁は、前記第４のピン遮断弁の前記内部導管が、前記外側表面上の開口部および前記回転子の前記外側表面と交差する前記少なくとも２つの表面の前記第２の表面上の開口部を有する前記流動導管の前記外側表面上の前記開口部と流体連通するように配置されるように、前記回転子クランプの前記外側表面上の前記第２の開口部内に配置される、請求項６７に記載の複合弁。
【請求項６９】
前記回転流動遮断弁の前記第３および第４のピン遮断弁の少なくとも１つが、ねじ付き圧縮結合により、前記回転子クランプの前記外側表面上の前記開口部の１つ内に配置される、請求項６８に記載の複合弁。
【請求項７０】
前記回転子クランプがさらに、前記回転子の回転軸の周りに回転するように前記回転子を駆動させる駆動手段を備える、請求項６７に記載の複合弁。
【請求項７１】
前記回転子クランプの駆動手段が、ギア駆動オペレータを備える、請求項７０に記載の複合弁。
【請求項７２】
前記回転子クランプの駆動手段が、ハンドルオペレータを備える、請求項７０に記載の複合弁。
【請求項７３】
前記直線射出弁の前記固定部材と前記可動部材との間の前記インターフェイス表面が、少なくとも１つのリップシールによって密封される、請求項５３に記載の複合弁。
【請求項７４】
前記直線射出弁の前記ピン遮断弁の前記開口部の少なくとも１つが、リップシールによって密封される、請求項５４に記載の複合弁。
【請求項７５】
前記リップシールが、自己付勢する、請求項７３に記載の複合弁。
【請求項７６】
前記リップシールが、自己付勢する、請求項７４に記載の複合弁。
【請求項７７】
前記可動部材が、（ａ）金属、（ｂ）ポリマー、および（ｃ）サファイアの少なくとも１つからなる、請求項５３に記載の流動遮断弁。
【請求項７８】
前記弁端部の少なくとも１つが、
前記少なくとも１つのピン遮断弁を囲み、かつ前記回転子に隣接した固定子と、
前記固定子内に囲まれ、かつ前記少なくとも１つのピン遮断弁を密封するために前記少なくとも１つのピン遮断弁を囲む密封層と、
皿ばねワッシャと、
皿ばねと、
荷重ワッシャと、
球状ナットとを備え、
前記皿ばねワッシャ、前記皿ばね、前記荷重ワッシャ、および前記球状ナットが、前記ピン遮断弁を囲む前記密封層を密封するために、軸力を加えるように軸方向に配置される、請求項５３に記載の複合弁。
【請求項７９】
前記密封層が、ＰＥＥＫ（ポリエーテルエーテルケトン）およびＰＴＦＥ（ポリテトラフルオロエチレン）の少なくとも一方からなる、請求項７８に記載の複合弁。
【請求項８０】
前記回転子が、ＰＥＥＫ混合物からなる、請求項５３に記載の複合弁。
【請求項８１】
前記回転子クランプが、ステンレススチールからなる、請求項６７に記載の複合弁。
【請求項８２】
前記ステンレススチールが、ＡＳＴＭタイプ３１６ステンレススチールである、請求項８１に記載の複合弁。
【請求項８３】
ハウジングと、
前記ハウジング内に配置された直線流動遮断弁とを備える複合弁であって、
前記直線流動遮断弁が、
固定部材と、
可動部材とを備え、前記固定部材および前記可動部材が、表面でインターフェイス接続し、前記可動部材が、前記表面に沿って摺動するように配置され、前記直線流動遮断弁がさらに、
前記固定部材および前記可動部材の間に配置され、かつ前記表面によって境界付けられたチャンバを備え、
前記可動部材が、前記チャンバとインターフェイス接続する開口部、および前記チャンバとインターフェイス接続しない前記可動部材の表面上の開口部を有する第１の流動導管を有し、
前記可動部材は、前記チャンバとインターフェイス接続する開口部、および前記チャンバとインターフェイス接続しない前記可動部材の表面上の開口部を有する第２の流動導管を有し、前記直線流動遮断弁がさらに、
前記チャンバを境界付ける前記表面上の第１のブランク開口部と、
前記チャンバを境界付ける前記表面上の第２のブランク開口部とを備え、前記複合弁がさらに
下流側レセプタクルへの流体流を遮断するために、前記ハウジング内に配置される回転流動射出弁を備え、
前記射出弁内に向けられた回転軸周りに配置された前記回転流動射出弁が、
中心線の周りに配置された少なくとも２つの対向する弁端部と、
前記弁端部間に配置される回転子とを備え、前記回転子の中心線が、前記射出弁の中心線と平行でありかつ一致し、前記回転子は、前記回転子の方向が、前記回転子の中心線の周りの回転によって変わることができるように配置され、
前記回転子が、
外側表面と、
前記外側表面とそれぞれ交差する少なくとも２つの対向表面と、
前記少なくとも２つの対向表面の第１の表面上の開口部、および前記少なくとも２つの対向表面の第２の表面上の開口部を有する第１の流動導管と、
前記少なくとも２つの対向表面の第１の表面上の開口部、および前記少なくとも２つの対向表面の第２の表面上の開口部を有する第２の流動導管と、
前記外側表面上の開口部、および前記少なくとも２つの対向表面の前記第１の表面上の開口部を有する流動導管と、
前記外側表面上の開口部、および前記少なくとも２つの対向表面の前記第２の表面上の開口部を有する流動導管と、
前記少なくとも２つの対向表面の前記第１の表面上の前記開口部を密封する第１の密封環と、
前記少なくとも２つの対向表面の前記第２の表面上の前記開口部を密封する第２の密封環と、
前記射出弁の中心線と平行に移動するように配置される第１のピン遮断弁とを備え、前記第１のピン遮断弁が、前記少なくとも２つの対向表面の前記第１の表面上の前記第１の流動チャネル上の前記開口部と流体連通することが可能なように、移動可能に配置されると共に、前記外側表面上の開口部および前記少なくとも２つの対向表面の前記第２の表面上の開口部を有する前記流動導管と流体連通することが可能なように、移動可能に配置され、前記回転子がさらに、
前記射出弁の中心線と平行に移動するように配置される第２のピン遮断弁を備え、前記第２のピン遮断弁が、前記少なくとも２つの対向表面の前記第２の表面上の前記第１の流動チャネル上の前記開口部と流体連通することが可能なように、移動可能に配置されると共に、前記外側表面上の開口部および前記少なくとも２つの対向表面の前記第２の表面上の開口部を有する前記流動導管と流体連通することが可能なように、移動可能に配置され、前記回転子がさらに、
前記射出弁の中心線と平行に移動するように配置される第３のピン遮断弁を備え、前記第３のピン遮断弁が、前記少なくとも２つの対向表面の前記第１の表面上の前記第２の流動チャネル上の前記開口部と流体連通することが可能なように、移動可能に配置されると共に、前記外側表面上の開口部および前記少なくとも２つの対向表面の前記第２の表面上の開口部を有する前記流動導管と流体連通することが可能なように、移動可能に配置され、前記回転子がさらに、
前記射出弁の中心線と平行に移動するように配置される第４のピン遮断弁を備え、前記第４のピン遮断弁が、前記少なくとも２つの対向表面の前記第２の表面上の前記第２の流動チャネル上の前記開口部と流体連通することが可能なように、移動可能に配置されると共に、前記外側表面上の開口部および前記少なくとも２つの対向表面の前記第２の表面上の開口部を有する前記流動導管と流体連通することが可能なように、移動可能に配置される、複合弁。
【請求項８４】
前記直線流動遮断弁がさらに、（ａ）第１のピン遮断弁、（ｂ）第２のピン遮断弁、（ｃ）第３のピン遮断弁、および（ｄ）第４のピン遮断弁の少なくとも１つを備え、
前記第１のピン遮断弁が、内部導管を有し、
前記第１のピン遮断弁は、前記第１のピン遮断弁の前記内部導管が、前記可動部材の第１の流動導管上の前記第１の開口部と流体連通するように移動可能に配置されるように、前記チャンバとインターフェイス接続する前記固定部材内の開口部内に配置され、
前記第１のピン遮断弁の前記内部導管が、前記チャンバを境界付ける前記表面上の前記第１のブランク開口部と流体連通するように移動可能に配置され、
前記第２のピン遮断弁が、内部導管を有し、
前記第２のピン遮断弁は、前記第２のピン遮断弁の前記内部導管が、前記可動部材の第２の流動導管上の前記第１の開口部と流体連通するように移動可能に配置されるように、前記チャンバとインターフェイス接続する前記固定部材内の開口部内に配置され、
前記第２のピン遮断弁の前記内部導管が、前記チャンバを境界付ける前記表面上の前記第２のブランク開口部と流体連通するように移動可能に配置され、
前記第３のピン遮断弁が、内部導管を有し、
前記第３のピン遮断弁は、前記第３のピン遮断弁の前記内部導管が、第３の流動導管上の前記第１の開口部と流体連通するように移動可能に配置されるように、前記チャンバとインターフェイス接続する前記固定部材内の開口部内に配置され、
前記第３のピン遮断弁の前記内部導管が、前記チャンバを境界付けする前記表面上の前記第１のブランク開口部と流体連通するように移動可能に配置され、
前記第４のピン遮断弁が、内部導管を有し、
前記第４のピン遮断弁は、前記第４のピン遮断弁の前記内部導管が、前記第３の流動導管の前記第２の開口部と流体連通するように移動可能に配置されるように、前記チャンバとインターフェイス接続する前記固定部材内の開口部内に配置され、
前記第４のピン遮断弁の前記内部導管が、前記チャンバを境界付ける前記表面上の前記第２のブランク開口部と流体連通するように移動可能に配置される、請求項８３に記載の複合弁。
【請求項８５】
前記直線流動遮断弁がさらに、前記固定部材および前記可動部材を囲むハウジングを備える、請求項８３に記載の複合弁。
【請求項８６】
前記直線流動遮断弁がさらに、前記固定部材および前記可動部材、ならびに前記ピン遮断弁の少なくとも１つを囲むハウジングをさらに備え、前記少なくとも１つのピン遮断弁の前記内部導管が、前記ハウジングを貫通する導管に流体結合される、請求項８４に記載の複合弁。
【請求項８７】
前記直線遮断弁がさらに、前記可動部材を移動させる駆動手段を備える、請求項８３に記載の複合弁。
【請求項８８】
前記駆動手段が、リニアモータである、請求項８７に記載の複合弁。
【請求項８９】
前記回転射出弁の前記第１および第２のピン遮断弁のいずれかが、高圧液体クロマトグラフィ（ＨＰＬＣ）システムの試料ループに流体結合される、請求項８４に記載の複合弁。
【請求項９０】
前記直線遮断弁の前記第３および第４のピン遮断弁のいずれかが、高圧液体クロマトグラフィ（ＨＰＬＣ）システムに高圧液体を供給するポンプと流体連通される、請求項８４に記載の複合弁。
【請求項９１】
前記直線遮断弁の前記第３および第４のピン遮断弁のいずれかが、高圧液体クロマトグラフィ（ＨＰＬＣ）システムから高圧液体を排出するカラムと流体連通される、請求項８４に記載の複合弁。
【請求項９２】
前記直線遮断弁の前記ハウジングが、圧力を大気圧より高く保持することが可能である、請求項８５に記載の複合弁。
【請求項９３】
前記直線遮断弁の前記ハウジングが、圧力を大気圧より高く保持することが可能である、請求項８６に記載の複合弁。
【請求項９４】
前記可動部材が、ＰＥＥＫ（ポリエーテルエーテルケトン）混合物からなる、請求項８３に記載の複合弁。
【請求項９５】
前記直線遮断弁の前記第１のピン遮断弁が、前記回転射出弁の前記第３のピン遮断弁に流体結合される、請求項８３に記載の複合弁。
【請求項９６】
前記直線遮断弁の前記第２のピン遮断弁が、前記回転射出弁の前記第４のピン遮断弁に流体結合される、請求項８３に記載の複合弁。
【請求項９７】
前記回転子がさらに、
外側表面、および前記回転子の外側表面の少なくとも一部を囲む内側表面を有する回転子クランプと、
前記回転子の前記外側表面上の前記第１の開口部と一致するように、前記回転子クランプを貫通する前記回転子クランプの外側表面上の第１の開口部と、
前記回転子の前記外側表面上の前記第２の開口部と一致するように、前記回転子クランプを貫通する前記回転子クランプの外側表面上の第２の開口部とを備える、請求項８３に記載の複合弁。
【請求項９８】
前記回転流動遮断弁がさらに、（ａ）第３のピン遮断弁、および（ｂ）第４のピン遮断弁の少なくとも１つを備え、
前記第３のピン遮断弁が、内部導管を有し、前記第３のピン遮断弁は、前記第３のピン遮断弁の前記内部導管が、前記外側表面上の開口部および前記回転子の前記外側表面と交差する前記少なくとも２つの表面の前記第１の表面上の開口部を有する前記流動導管の前記外側表面上の前記開口部と流体連通するように配置されるように、前記回転子クランプの前記外側表面上の前記第１の開口部内に配置され、
前記第４のピン遮断弁が、内部導管を有し、前記第４のピン遮断弁は、前記第４のピン遮断弁の前記内部導管が、前記外側表面上の開口部および前記回転子の前記外側表面と交差する前記少なくとも２つの表面の前記第２の表面上の開口部を有する前記流動導管の前記外側表面上の前記開口部と流体連通するように配置されるように、前記回転子クランプの前記外側表面上の前記第２の開口部内に配置される、請求項９７に記載の複合弁。
【請求項９９】
前記第３および第４のピン遮断弁の少なくとも１つが、ねじ付き圧縮結合により、前記回転子クランプの前記外側表面上の前記開口部の１つ内に配置される、請求項９８に記載の複合弁。
【請求項１００】
前記回転子クランプがさらに、前記回転子の中心線の周りに回転するように前記回転子を駆動させる駆動手段を備える、請求項９７に記載の複合弁。
【請求項１０１】
前記回転子クランプの駆動手段が、ギア駆動オペレータを備える、請求項１００に記載の複合弁。
【請求項１０２】
前記回転子クランプの駆動手段が、ハンドルオペレータを備える、請求項１００に記載の複合弁。
【請求項１０３】
前記弁端部の少なくとも１つが、
前記少なくとも１つのピン遮断弁を囲み、かつ前記回転子に隣接した固定子と、
前記固定子内に囲まれ、かつ前記少なくとも１つのピン遮断弁を密封するために前記少なくとも１つのピン遮断弁を囲む密封層と、
皿ばねワッシャと、
皿ばねと、
荷重ワッシャと、
球状ナットとを備え、
前記皿ばねワッシャ、前記皿ばね、前記荷重ワッシャ、および前記球状ナットが、前記ピン遮断弁を囲む前記密封層を密封するために軸力を加えるように軸方向に配置される、請求項８３に記載の複合弁。
【請求項１０４】
前記密封層が、ＰＥＥＫ（ポリエーテルエーテルケトン）およびＰＴＦＥ（ポリテトラフルオロエチレン）の少なくとも一方からなる、請求項１０３に記載の複合弁。
【請求項１０５】
前記回転子が、ＰＥＥＫ混合物からなる、請求項８３に記載の複合弁。
【請求項１０６】
前記回転子クランプが、ステンレススチールからなる、請求項９７に記載の複合弁。
【請求項１０７】
前記ステンレススチールが、ＡＳＴＭタイプ３１６ステンレススチールである、請求項１０６に記載の複合弁。
【請求項１０８】
前記直線遮断弁の前記固定部材と前記可動部材との間の前記インターフェイス表面が、少なくとも１つのリップシールによって密封される、請求項８３に記載の複合弁。
【請求項１０９】
前記直線遮断弁の前記ピン遮断弁の前記開口部の少なくとも１つが、リップシールによって密封される、請求項８４に記載の複合弁。
【請求項１１０】
前記リップシールが、自己付勢する、請求項１０８に記載の複合弁。
【請求項１１１】
前記リップシールが、自己付勢する、請求項１０９に記載の複合弁。
【請求項１１２】
前記可動部材が、（ａ）金属、（ｂ）ポリマー、および（ｃ）サファイアの少なくとも１つからなる、請求項５６に記載の流動遮断弁。
【請求項１１３】
ハウジングと、
前記ハウジング内に配置された直線流動遮断弁とを備える複合弁であって、
前記直線流動遮断弁が、
固定部材と、
可動部材とを備え、前記固定部材および前記可動部材が、表面でインターフェイス接続し、前記可動部材が、前記表面に沿って摺動するように配置され、前記直線流動遮断弁がさらに、
前記固定部材と前記可動部材との間に配置され、前記表面によって境界付けられたチャンバを備え、
前記可動部材が、前記チャンバとインターフェイス接続する開口部、および前記チャンバとインターフェイス接続しない前記可動部材の表面上の開口部を有する第１の流動導管を有し、
前記可動部材が、前記チャンバとインターフェイス接続する開口部、および前記チャンバとインターフェイス接続しない前記可動部材の表面上の開口部を有する第２の流動導管を有し、前記遮断弁がさらに、
前記チャンバを境界付ける前記表面上の第１のブランク開口部と、
前記チャンバを境界付ける前記表面上の第２のブランク開口部とを備え、前記複合弁がさらに
直線流動射出弁を備え、
前記直線流動射出弁が、
固定部材と、
可動部材とを備え、前記固定部材および前記可動部材が、表面でインターフェイス接続し、前記可動部材が、前記表面に沿って摺動するように配置され、前記直線流動射出弁がさらに、
前記固定部材と前記可動部材との間に配置され、かつ前記表面によって境界付けられたチャンバを備え、
前記可動部材が、前記チャンバとインターフェイス接続する第１の開口部、および前記チャンバとインターフェイス接続しない前記可動部材の表面上の第２の開口部を有する第１の流動導管を有し、
前記可動部材が、前記チャンバとインターフェイス接続する第１の開口部、および前記チャンバとインターフェイス接続しない前記可動部材の表面上の第２の開口部を有する第２の流動導管を有し、
前記可動部材が、それぞれ前記チャンバとインターフェイス接続する前記可動部材の表面上の第１の開口部および第２の開口部を有する第３の流動導管を有し、
前記可動部材が、それぞれ前記チャンバとインターフェイス接続する前記可動部材の表面上の第１の開口部および第２の開口部を有する第４の流動導管を有する、複合弁。
【請求項１１４】
前記流動射出弁がさらに、（ａ）第１のピン遮断弁、（ｂ）第２のピン遮断弁、（ｃ）第３のピン遮断弁、および（ｄ）第４のピン遮断弁の少なくとも１つを備え、
前記第１のピン遮断弁が、内部導管を有し、
前記第１のピン遮断弁は、前記第１のピン遮断弁の前記内部導管が、前記可動部材の第１の流動導管上の前記第１の開口部と流体連通するように移動可能に配置されるように、前記チャンバとインターフェイス接続する前記固定部材内の開口部内に配置され、
前記第１のピン遮断弁の前記内部導管が、前記第３の流動導管の前記第１の開口部と流体連通するように移動可能に配置され、
前記第２のピン遮断弁が、内部導管を有し、
前記第２のピン遮断弁は、前記第２のピン遮断弁の前記内部導管が、前記可動部材の第２の流動導管上の前記第１の開口部と流体連通するように移動可能に配置されるように、前記チャンバとインターフェイス接続する前記固定部材内の開口部内に配置され、
前記第２のピン遮断弁の前記内部導管が、前記第３の流動導管の前記第２の開口部と流体連通するように移動可能に配置され、
前記第３のピン遮断弁が、内部導管を有し、
前記第３のピン遮断弁は、前記第３のピン遮断弁の前記内部導管が、第４の流動導管上の前記第１の開口部と流体連通するように移動可能に配置されるように、前記チャンバとインターフェイス接続する前記固定部材内の開口部内に配置され、
前記第３のピン遮断弁の前記内部導管が、前記第１の流動導管の前記第１の開口部と流体連通するように移動可能に配置され、
前記第４のピン遮断弁が、内部導管を有し、
前記第４のピン遮断弁は、前記第４のピン遮断弁の前記内部導管が、前記第４の流動導管の前記第２の開口部と流体連通するように移動可能に配置されるように、前記チャンバとインターフェイス接続する前記固定部材内の開口部内に配置され、
前記第４のピン遮断弁の前記内部導管が、前記第２の流動導管の前記第１の開口部と流体連通するように移動可能に配置される、請求項１１３に記載の複合弁。
【請求項１１５】
前記流動遮断弁および前記流動射出弁の少なくとも一方がさらに、前記固定部材および前記可動部材を囲むハウジングを備える、請求項１１３に記載の複合弁。
【請求項１１６】
前記流動遮断弁および前記流動射出弁の少なくとも一方がさらに、前記固定部材および前記可動部材、ならびに前記ピン遮断弁の少なくとも１つを囲むハウジングをさらに備え、前記少なくとも１つのピン遮断弁の前記内部導管が、前記ハウジングを貫通する導管に流体結合される、請求項１１４に記載の複合弁。
【請求項１１７】
前記可動部材の少なくとも１つを駆動させる駆動手段をさらに備える、請求項１１３に記載の複合弁。
【請求項１１８】
前記駆動手段が、リニア電気モータである、請求項１１７に記載の複合弁。
【請求項１１９】
前記流動射出弁の前記第１および第２のピン遮断弁のいずれかが、高圧液体クロマトグラフィ（ＨＰＬＣ）システムの試料ループに流体結合される、請求項１１３に記載の複合弁。
【請求項１２０】
前記流動遮断弁の前記第３および第４のピン遮断弁のいずれかが、高圧液体クロマトグラフィ（ＨＰＬＣ）システムに高圧液体を供給するポンプと流体連通される、請求項１１３に記載の複合弁。
【請求項１２１】
前記流動遮断弁の前記第３および第４のピン遮断弁のいずれかが、高圧液体クロマトグラフィ（ＨＰＬＣ）システムから高圧液体を排出するカラムと流体連通される、請求項１１３に記載の複合弁。
【請求項１２２】
前記流動遮断弁および前記流動射出弁の前記少なくとも１つの前記ハウジングが、圧力を大気圧より高く保持することが可能である、請求項１１５に記載の複合弁。
【請求項１２３】
前記流動遮断弁および前記流動射出弁の前記少なくとも１つの前記ハウジングが、圧力を大気圧より高く保持することが可能である、請求項１１６に記載の複合弁。
【請求項１２４】
前記可動部材の少なくとも１つが、ＰＥＥＫ（ポリエーテルエーテルケトン）混合物からなる、請求項１１３に記載の複合弁。
【請求項１２５】
前記直線射出弁および前記直線遮断弁の少なくとも１つの前記固定部材と前記可動部材との間の前記インターフェイス表面が、少なくとも１つのリップシールによって密封される、請求項１１３に記載の複合弁。
【請求項１２６】
前記直線弁の前記ピン遮断弁の前記開口部の少なくとも１つが、リップシールによって密封される、請求項１１４に記載の複合弁。
【請求項１２７】
前記リップシールが、自己付勢する、請求項１２５に記載の複合弁。
【請求項１２８】
前記リップシールが、自己付勢する、請求項１２６に記載の複合弁。
【請求項１２９】
前記可動部材が、（ａ）金属、（ｂ）ポリマー、および（ｃ）サファイアの少なくとも１つからなる、請求項１１３に記載の複合弁。
【請求項１３０】
流動射出弁を作動させる方法であり、
流動射出弁が、可動部材を備え、
前記可動部材が、
第１のピン遮断弁の内部導管と第２のピン遮断弁の内部導管との間でインターフェイス接続し、かつ前記可動部材の表面に開口する第１および第２の導管と、
前記第１のピン遮断弁の前記内部導管と前記第２のピン遮断弁の前記内部導管との間の流体連通を可能にする第３の導管と、
流体流を提供する第３のピン遮断弁の内部導管と前記流体流を排出する第４のピン遮断弁の内部導管との間の流動連通を可能にする第４の導管とを有し、
（Ａ）流動流を提供する前記第３のピン遮断弁が、前記流体流を排出する前記第４のピン遮断弁と流体連通するように、弁が、流れ遮断の初期位置にあり、
前記第１のピン遮断弁が、前記第１の導管と流体連通し、
前記第２のピン遮断弁が、前記第２の導管と流体連通する、方法であって、
（Ｉ）前記第１のピン遮断弁が、前記第１の導管とインターフェイス接続しており、
（１）前記第１のピン遮断弁を前記第１の導管から離れるように移動させ、
（２）前記可動部材を移動させ、
（３）前記第１のピン遮断弁内の前記内部導管が、前記第３の導管とインターフェイス接続するように、前記第１のピン遮断弁を前記可動部材に向かって移動させるステップと、
（ＩＩ）前記第２のピン遮断弁が、前記第２の導管とインターフェイス接続しており、
（１）前記第２のピン遮断弁を前記第２の導管から離れるように移動させ、
（２）前記可動部材を移動させ、
（７）前記第２のピン遮断弁内の前記内部導管が、前記第３の導管とインターフェイス接続するように、前記第２のピン遮断弁を前記可動部材に向かって移動させ、それによって前記第１ピン遮断弁と第２のピン遮断弁との間の流体連通を確立するステップと、
（ＩＩＩ）前記第３のピン遮断弁が、前記第４の導管とインターフェイス接続しており、
（１）前記第３のピン遮断弁を前記第４の導管から離れるように移動させ、
（２）前記可動部材を移動させ、
（３）前記第３のピン遮断弁の前記内部導管との流体連通を確立するように、前記第３のピン遮断弁を前記第１の導管に向かって移動させるステップと、
（ＩＶ）前記第４のピン遮断弁が、前記第４の導管とインターフェイス接続しており、
（１）前記第４のピン遮断弁を前記第４の導管から離れるように移動させ、
（２）前記可動部材を移動させ、
（３）前記第４のピン遮断弁の前記内部導管との流体連通を確立するように、前記第４のピン遮断弁を前記第２の導管に向かって移動させるステップとを含み、
（Ｂ）（ａ）流体流を提供する前記第３のピン遮断弁が、前記第１の導管とインターフェイス接続すること、および（ｂ）流体流を排出する前記第４のピン遮断弁が、前記第２の導管とインターフェイス接続することの少なくとも一方となるように、弁が、流れスループットの初期位置にある、方法であって、
（ＩＩＩ）前記第３のピン遮断弁が、前記第１の導管とインターフェイス接続しており、
（１）前記第３のピン遮断弁を前記第１の導管から離れるように移動させ、
（２）前記可動部材を移動させ、
（３）前記第３のピン遮断弁内の前記内部導管が、前記第４の導管とインターフェイス接続するように、前記第３のピン遮断弁を前記可動部材に向かって移動させるステップと、
（ＩＶ）前記第４のピン遮断弁が、前記第２の導管とインターフェイス接続しており、
（１）前記第４のピン遮断弁を前記第２の導管から離れるように移動させ、
（２）前記可動部材を移動させ、
（３）前記第２のピン遮断弁内の前記内部導管が、前記第１の導管とインターフェイス接続するように、前記第４のピン遮断弁を前記可動部材に向かって移動させるステップと、
（Ｖ）前記第１のピン遮断弁が、前記第３の導管とインターフェイス接続し、
（１）前記第１のピン遮断弁を前記第３の導管から離れるように移動させ、
（２）前記可動部材を移動させ、
（３）前記第１のピン遮断弁内の前記内部導管が、前記第１の導管とインターフェイス接続するように、前記第１のピン遮断弁を前記可動部材に向かって移動させるステップと、
（ＶＩ）前記第２のピン遮断弁が、前記第３の導管とインターフェイス接続し、
（１）前記第２のピン遮断弁を前記第３の導管から離れるように移動させ、
（２）前記可動部材を移動させ、
（３）前記第２のピン遮断弁内の前記内部導管が、前記第２の導管とインターフェイス接続するように、前記第２のピン遮断弁を前記可動部材に向かって移動させるステップとを含む、方法。
【請求項１３１】
流動遮断弁を備える複合弁を作動させる方法であり、流動遮断弁が、可動部材を備え、前記可動部材が、
第１および第２のピン遮断弁の内部導管とインターフェイス接続し、かつ可動部材の表面に開口する第１および第２の導管と、
前記第１および第２のピン遮断弁の前記内部導管とインターフェイス接続する第１および第２のブランク開口部とを有し、
（Ａ）（ａ）流体流を提供する前記第１のピン遮断弁が、前記第１のブランク開口部とインターフェイス接続すること、および（ｂ）前記流体流を排出する前記第２のピン遮断弁が、前記第２のブランク開口部とインターフェイス接続することの少なくとも一方となるように、弁は、流れ遮断の初期位置にある、方法であって、
（Ｉ）前記第１のピン遮断弁が、前記第１のブランク開口部とインターフェイス接続しており、
（１）前記第１のピン遮断弁を前記第１のブランク開口部から離れるように移動させ、
（２）前記可動部材を移動させ、
（３）前記第１のピン遮断弁内の前記内部導管が、可動部材の表面に開口する前記第１の導管とインターフェイス接続するように、前記第１のピン遮断弁を前記可動部材に向かって移動させるステップと、
（ＩＩ）前記第２のピン遮断弁が、前記第２のブランク開口部とインターフェイス接続しており、
（１）前記第２のピン遮断弁を前記第２のブランク開口部から離れるように移動させ、
（２）前記可動部材を移動させ、
（３）前記第２のピン遮断弁内の前記内部導管が、前記可動部材の表面に開口する前記第２の導管とインターフェイス接続するように、前記第２のピン遮断弁を前記可動部材に向かって移動させるステップとを含み、
（Ｂ）（ａ）流体流を提供する前記第１のピン遮断弁が、前記第１の導管とインターフェイス接続すること、および（ｂ）前記流体流を排出する前記第２のピン遮断弁が、前記第２の導管とインターフェイス接続することの少なくとも一方となるように、弁が、流れスループットの初期位置にある、方法であって、
（ＩＩＩ）前記第１のピン遮断弁が、前記第１の導管とインターフェイス接続しており、
（１）前記第１のピン遮断弁を前記第１の導管から離れるように移動させ、
（２）前記可動部材を移動させ、
（３）前記第１のピン遮断弁内の前記内部導管が、前記第１のブランク開口部とインターフェイス接続するように、前記第１のピン遮断弁を前記可動部材に向かって移動させるステップと、
（ＩＶ）前記第２のピン遮断弁が、前記第２の導管とインターフェイス接続しており、
（１）前記第２のピン遮断弁を前記第２の導管から離れるように移動させ、
（２）前記可動部材を移動させ、
（３）前記第２のピン遮断弁内の前記内部導管が、前記第２のブランク開口部とインターフェイス接続するように、前記第２のピン遮断弁を前記可動部材に向かって移動させるステップとを含み、
複合弁が、流動射出弁を備え、
流動射出弁が、
第１および第２のピン遮断弁の内部導管とインターフェイス接続し、かつ可動部材の表面に開口する第１および第２の導管と、
前記第１のピン遮断弁の前記内部導管と第２のピン遮断弁の前記内部導管との間の流体連通を可能にする第３の導管と、
流体流を提供する第３のピン遮断弁の内部導管と前記流体流を排出する第４のピン遮断弁の内部導管との間の流体連通を可能にする第４の導管とを有し、
（Ａ）前記流体流を提供する前記第３のピン遮断弁が、前記流体流を排出する前記第４のピン遮断弁と流体連通し、前記第１のピン遮断弁が、前記第１の導管と流体連通し、かつ前記第２のピン遮断弁が、前記第２の導管と流体連通するように、弁は、流れ遮断の初期位置にある、方法であって、
（Ｉ）前記第１のピン遮断弁が、前記第１の導管とインターフェイス接続しており、
（１）前記第１のピン遮断弁を前記第１の導管から離れるように移動させ、
（２）前記可動部材を移動させ、
（３）前記第１のピン遮断弁内の前記内部導管が、前記第３の導管とインターフェイス接続するように、前記第１のピン遮断弁を前記可動部材に向かって移動させるステップと、
（ＩＩ）前記第２のピン遮断弁が、前記第２の導管とインターフェイス接続しており、
（１）前記第２のピン遮断弁を前記第２の導管から離れるように移動させ、
（２）前記可動部材を移動させ、
（７）前記第２のピン遮断弁内の前記内部導管が、前記第３の導管とインターフェイス接続するように、前記第２のピン遮断弁を前記可動部材に向かって移動させ、それによって前記第１とピン遮断弁と第２のピン遮断弁との間の流体連通を確立するステップと、
（ＩＩＩ）前記第３のピン遮断弁が、前記第４の導管とインターフェイス接続しており、
（１）前記第３のピン遮断弁を前記第４の導管から離れるように移動させ、
（２）前記可動部材を移動させ、
（３）前記第３のピン遮断弁の前記内部導管との流体連通を確立するように、前記第３のピン遮断弁を前記第１の導管に向かって移動させるステップと、
（ＩＶ）前記第４のピン遮断弁が、前記第４の導管とインターフェイス接続しており、
（１）前記第４のピン遮断弁を前記第４の導管から離れるように移動させ、
（２）前記可動部材を移動させ、
（３）前記第４のピン遮断弁の前記内部導管との流体連通を確立するように、前記第４のピン遮断弁を前記第２の導管に向かって移動させるステップとを含み、
（Ｂ）（ａ）流体流を提供する前記第３のピン遮断弁が、前記第１の導管とインターフェイス接続すること、および（ｂ）前記流体流を排出する前記第４のピン遮断弁が、前記第２の導管とインターフェイス接続することの少なくとも一方となるように、弁は、流れスループットの初期位置にある、方法であって、
（ＩＩＩ）前記第３のピン遮断弁が、前記第１の導管とインターフェイス接続しており、
（１）前記第３のピン遮断弁を前記第１の導管から離れるように移動させ、
（２）前記可動部材を移動させ、
（３）前記第３のピン遮断弁内の前記内部導管が、前記第４の導管とインターフェイス接続するように、前記第３のピン遮断弁を前記可動部材に向かって移動させるステップと、
（ＩＶ）前記第４のピン遮断弁が、前記第２の導管とインターフェイス接続しており、
（１）前記第４のピン遮断弁を前記第２の導管から離れるように移動させ、
（２）前記可動部材を移動させ、
（３）前記第２のピン遮断弁内の前記内部導管が、前記第１の導管とインターフェイス接続するように、前記第４のピン遮断弁を前記可動部材に向かって移動させるステップと、
（Ｖ）前記第１のピン遮断弁が、前記第３の導管とインターフェイス接続し、
（１）前記第１のピン遮断弁を前記第３の導管から離れるように移動させ、
（２）前記可動部材を移動させ、
（３）前記第１のピン遮断弁内の前記内部導管が、前記第１の導管とインターフェイス接続するように、前記第１のピン遮断弁を前記可動部材に向かって移動させるステップと、
（ＶＩ）前記第２のピン遮断弁が、前記第３の導管とインターフェイス接続し、
（１）前記第２のピン遮断弁を前記第３の導管から離れるように移動させ、
（２）前記可動部材を移動させ、
（３）前記第２のピン遮断弁内の前記内部導管が、前記第２の導管とインターフェイス接続するように、前記第２のピン遮断弁を前記可動部材に向かって移動させるステップとを含む、方法。
【請求項１３２】
前記可動部材の表面に開口する前記第１および第２の導管が、高圧液体クロマトグラフィ（ＨＰＬＣ）システムの試料ループに流体結合される、請求項１３０に記載の流動射出弁を作動させる方法。
【請求項１３３】
前記第１および第２のピン遮断弁が、高圧液体クロマトグラフィ（ＨＰＬＣ）システムの針およびシリンジと流体連通される、請求項１３０に記載の流動射出弁を作動させる方法。
【請求項１３４】
前記第３および第４のピン遮断弁が、高圧液体クロマトグラフィ（ＨＰＬＣ）システムのポンプおよびカラムと流体連通される、請求項１３０に記載の流動射出弁を作動させる方法。
【請求項１３５】
前記流動射出弁の前記可動部材の表面に開口する前記第１および第２の導管が、高圧液体クロマトグラフィ（ＨＰＬＣ）システムの試料ループと流体連通される、請求項１３１に記載の複合弁を作動させる方法。
【請求項１３６】
前記流動射出弁の前記第１および第２のピン遮断弁が、高圧液体クロマトグラフィ（ＨＰＬＣ）システムの針およびシリンジと流体連通される、請求項１３１に記載の複合弁を作動させる方法。
【請求項１３７】
前記流動射出弁の前記第３および第４のピン遮断弁が、高圧液体クロマトグラフィ（ＨＰＬＣ）システムのポンプおよびカラムと流体連通される、請求項１３１に記載の複合弁を作動させる方法。
【発明の詳細な説明】
【技術分野】
【０００１】
本出願は、２００４年３月５日に出願の米国仮特許出願第６０／５５０，９３０号の優先権を主張するものである。この出願の内容を、参照によって本明細書に組み込む。
【０００２】
本発明は概して、高圧流体の分野に関し、より詳細には、流体源からの流れを遮断することなく、流路の導入を可能にする複合遮断弁（ｍｕｌｔｉｐｌｅ  ｉｓｏｌａｔｉｏｎ  ｖａｌｖｅ）の組合せに関する。
【背景技術】
【０００３】
高圧液体クロマトグラフィ（ＨＰＬＣ）で使用される、面密封弁とも呼ばれる従来の６ポート面剪断弁は、試料、シリンジ、ポンプ、カラム、および試料ループの２端部とインターフェイス接続するポートを提供する。このような面密封弁は、１つのポートから別のポートに切り換えるように回転されなければならない。高圧での面密封の回転が、プラスチック噛合表面への損傷を本質的に発生させる。というのは、流体ポート開口部は、回転子表面に対して摺動して、回転子材料を疲労させるはずであるからである。これにより、面密封弁の寿命が短くなる。加えて、試料の射出過程中に一時的に流れを遮断する必要があり、試料分散が起こる。
【０００４】
より高いクロマトグラフィ圧力、例えば１５，０００ｐｓｉｇまたは１００ＭＰａより大きい圧力で、最小試料歪みおよび最小ポンプ圧力パルシングとともに、高い試料射出寿命を提供することができる流動遮断試料射出弁が必要である。
【発明の開示】
【発明が解決しようとする課題】
【０００５】
上記および他の問題に対処するため、本発明は、高圧流体のための複合流動高圧遮断弁の組合せ、より詳細には従来の面剪断弁の代替物として、ＨＰＬＣ応用例での使用に適したものを記載している。
【０００６】
本発明の目的は、回転子材料を疲労させる回転子表面に対する摺動をしない、流体ポート開口部を備えた流動試料射出弁を提供することである。
【０００７】
本発明の別の目的は、試料分散を最小限に抑えるように、非円筒形通路を通した試料の流れを防ぐ流動試料射出弁を提供することである。
【課題を解決するための手段】
【０００８】
本発明の特定の態様では、本発明は、固定部材、可動部材、可動部材の表面とインターフェイス接続する固定部材の表面、および少なくとも１つのピン遮断弁を備えた、流動射出弁を対象としている。少なくとも１つのピン遮断弁は、内部流動導管を有し、内部導管が、可動部材内で少なくとも１つの流動導管と流体連通することが可能なように、移動可能に配置され、かつ内部導管が、可動部材内で別の流動導管と流体連通するように、移動可能に配置されている。流動射出弁の可動部材はさらに、可動部材の表面に開口し、かつ第１および第２のピン遮断弁の内部導管とインターフェイス接続するための第１および第２の導管と、第１のピン遮断弁の内部導管と第２のピン遮断弁の内部導管との間の流体連通を可能にする第３の導管と、流体流れを与える第３のピン遮断弁と流体流れを排出する第４のピン遮断弁の内部導管との間の流体連通を可能にする第４の導管とを備えることができる。可動部材は、回転軸の周りの回転、または直線および曲線並進の少なくとも一方によって移動することができる。少なくとも１つのピン遮断弁の１つは、高圧液体クロマトグラフィ（ＨＰＬＣ）システムの試料ループに流体結合されることができる。少なくとも１つのピン遮断弁の１つは、高圧液体を高圧液体クロマトグラフィ（ＨＰＬＣ）システムに供給するポンプと流体連通されることができる。少なくとも１つのピン遮断弁の１つは、高圧液体クロマトグラフィ（ＨＰＬＣ）システムから高圧液体を排出するカラムに流体結合されることができる。
【０００９】
本発明の特定の態様では、本発明は、回転軸の周りに配置された流動射出弁を対象としており、流動射出弁は、回転軸の周りに配置された少なくとも２つの対向弁端部を備え、可動部材は、前記弁端部の間に配置された回転子を備え、回転子の回転軸は、射出弁の回転軸と平行か一致するかのいずれかであり、回転子は、回転子の方向が、回転子の回転軸の周りの回転によって変わることができるように配置されている。回転子は、外側表面と、外側表面をそれぞれ分割する少なくとも２つの対向表面と、少なくとも２つの対向表面の第１の表面上の開口部、および少なくとも２つの対向表面の第２の表面上の開口部を有する第１の流動導管と、少なくとも２つの対向表面の第１の表面上の開口部、および少なくとも２つの対向表面の第２の表面上の開口部を有する第２の流動導管と、外側表面上の開口部、および少なくとも２つの対向する表面の第１の表面上の開口部を有する流動導管と、外側表面上の開口部、および少なくとも２つの対向表面の第２の表面上の開口部を有する流動導管とを有する。回転子は、さらに、少なくとも２つの対向表面の第１の表面上の開口部を密封する第１の密封環と、少なくとも２つの対向表面の第２の表面上の開口部を密封する第２の密封環とを備えている。
【００１０】
回転子は、さらに、内部導管を有する第１のピン遮断弁を備え、第１のピン遮断弁は、射出弁の回転軸と平行に移動するように配置されると共に、前記内部導管を通して、少なくとも２つの対向表面の第１の表面上の第１の流動チャネルの開口部と流体連通することが可能なように、移動可能に配置され、かつ内部導管を通して、外側表面上の開口部および少なくとも２つの対向表面の第２の表面上の開口部を有する流動導管と流体連通することが可能なように、移動可能に配置される。回転子は、さらに、内部導管を有する第２のピン遮断弁を備え、第２のピン遮断弁は、射出弁の回転軸と平行に移動するように配置されると共に、内部導管を通して、少なくとも２つの対向表面の第２の表面上の第１の流動チャネルの開口部と流体連通することが可能なように、移動可能に配置され、かつ内部導管を通して、外側表面上の開口部および少なくとも２つの対向表面の第２の表面上の開口部を有する流動導管と流体連通することが可能なように、移動可能に配置される。
【００１１】
回転子は、さらに、内部導管を有する第３のピン遮断弁を備え、第３のピン遮断弁は、射出弁の中心線と平行に移動するように配置されると共に、内部導管を通して、少なくとも２つの対向表面の第１の表面上の第２の流動チャネルの開口部と流体連通することが可能なように、移動可能に配置され、かつ内部導管を通して、外側表面上の開口部および少なくとも２つの対向表面の第２の表面上の開口部を有する流動導管と流体連通することが可能なように、移動可能に配置される。回転子は、さらに、内部導管を有する第４のピン遮断弁を備え、第４のピン遮断弁は、射出弁の中心線と平行に移動するように配置されると共に、内部導管を通して、少なくとも２つの対向表面の第２の表面上の第２の流動チャネルの開口部と流体連通することが可能なように、移動可能に配置され、かつ内部導管を通して、外側表面上の開口部および少なくとも２つの対向表面の第２の表面上の開口部を有する流動導管と流体連通することが可能なように、移動可能に配置される。
【００１２】
回転子は、さらに、外側表面、および回転子の外側表面の少なくとも一部を囲む内側表面を有する回転子クランプと、回転子の外側表面上の第１の開口部と一致するように、回転子クランプを貫通する回転子クランプの外側表面上の第１の開口部と、回転子の外側表面上の第２の開口部と一致するように、回転子クランプを貫通する回転子クランプの外側表面上の第２の開口部とを備えることができる。回転子クランプは、さらに、回転子の回転軸の周りに回転するように、回転子を駆動する駆動手段を備えることができる。回転子クランプの駆動手段は、ギア駆動オペレータまたはハンドルオペレータを含むことができる。
【００１３】
弁端部の少なくとも一方は、回転子に隣接し、かつ少なくとも１つのピン遮断弁を囲む固定子と、固定子内に囲まれ、かつ少なくとも１つのピン遮断弁を密封するために少なくとも１つのピン遮断弁を囲む密封層と、皿ばねワッシャと、皿ばねと、荷重ワッシャと、球状ナットとを備えることができ、皿ばねワッシャ、皿ばね、荷重ワッシャ、および球状ナットは、ピン遮断弁を囲む密封層を密封するために、軸力を加えるように軸方向に配置されている。第１および第２のピン遮断弁のいずれかを、高圧液体クロマトグラフィ（ＨＰＬＣ）システムの試料ループに流体結合させることができる。第３および第４のピン遮断弁のいずれかは、高圧液体クロマトグラフィ（ＨＰＬＣ）システムに高圧液体を供給するポンプか、または高圧液体クロマトグラフィ（ＨＰＬＣ）システムに高圧液体を排出するカラムに流体連通されることができる。
【００１４】
別の実施形態では、本発明は、複合弁とを対象とし、この複合弁は、ハウジングと、ハウジング内に配置される回転流動遮断弁とを備え、回転流動遮断弁は、流体流を遮断するために軸方向に向けられ、回転軸の周りに配置されると共に、回転軸の周りに配置された少なくとも２つの対向弁端部と、弁端部の間に配置される回転子とを備え、回転子の回転軸が、遮断弁の回転軸とほぼ平行および一致しており、回転子の方向が、回転子の回転軸の周りの回転によって変わることができるように、配置される。回転子は、少なくとも２つの対向表面がそれぞれ分割する外側表面と、少なくとも２つの対向表面の第１の表面上の開口部、および少なくとも２つの対向表面の第２の表面上の開口部を有する流動導管と、外側表面上の開口部、および少なくとも２つの対向表面の第１の表面上の開口部を有する流動導管と、外側表面上の開口部、および少なくとも２つの対向表面の第２の表面上の開口部を有する流動導管と、少なくとも２つの対向表面の第１の表面上の少なくとも１つのブランク開口部と、少なくとも２つの対向表面の第２の表面上の少なくとも１つのブランク開口部とを有する。回転子は、さらに、少なくとも２つの対向表面の第１の表面上の開口部を密封する第１の密封環と、少なくとも２つの対向表面の第２の表面上の開口部を密封する第２の密封環とを備えている。回転子は、さらに、第１のピン遮断弁を備え、第１のピン遮断弁は、遮断弁の回転軸に沿って移動するように配置され、第１のピン遮断弁は、少なくとも２つの対向表面の第１の表面上の少なくとも１つのブランク開口部と流体連通することが可能なように、移動可能に配置され、かつ外側表面上の開口部および少なくとも２つの対向表面の第２の表面上の開口部を有する流動導管と流体連通することが可能なように、移動可能に配置され、回転子は、さらに、第２のピン遮断弁を備え、第２のピン遮断弁は、遮断弁の中心線に沿って移動するように配置され、第２のピン遮断弁は、少なくとも２つの対向表面の第２の表面上の少なくとも１つのブランク開口部と流体連通することが可能なように、移動可能に配置され、かつ外側表面上の開口部および少なくとも２つの対向表面の第２の表面上の開口部を有する流動導管と流体連通することが可能なように、移動可能に配置される。複合弁は、さらに、直線流動射出弁を備え、直線流動射出弁は、固定部材と、可動部材とを備え、固定部材および可動部材は、表面でインターフェイス接続し、可動部材は、表面に沿って摺動するように配置され、直線流動射出弁はさらに、固定部材と可動部材との間に配置され表面によって境界付けられチャンバとを備える、可動部材は、チャンバとインターフェイス接続する第１の開口部、およびチャンバとインターフェイス接続しない可動部材の表面上の第２の開口部を有する第１の流動導管を有し、可動部材は、チャンバとインターフェイス接続する第１の開口部、およびチャンバとインターフェイス接続しない可動部材の表面上の第２の開口部を有する第２の流動導管とを有する。可動部材は、さらに、チャンバとインターフェイス接続する可動部材のそれぞれ表面上の、第１の開口部および第２の開口部を有する第３流動導管と、チャンバとインターフェイス接続する可動部材のそれぞれ表面上の、第１の開口部および第２の開口部を有する第４の流動導管とを備えている。
【００１５】
別の実施形態では、本発明は、複合弁を対象とし、この複合弁は、ハウジングと、ハウジング内に配置される直線流動遮断弁とからなり、直線流動遮断弁は、固定部材と、可動部材とを備え、固定部材および可動部材は、表面でインターフェイス接続し、可動部材は、表面に沿って摺動するように配置され、直線流動遮断弁は、さらに、固定部材と可動部材との間に配置され、表面によって境界付けられるチャンバを備える。可動部材は、チャンバとインターフェイス接続する開口部、およびチャンバとインターフェイス接続しない可動部材の表面上の開口部を有する第１の流動導管と、チャンバとインターフェイス接続する開口部、およびチャンバとインターフェイス接続しない可動部材の表面上の開口部を有する第２の流動導管と、チャンバを境界付ける表面上の第１のブランク開口部と、チャンバを境界付ける表面上の第２のブランク開口部とを有する。複合弁は、さらに、直線流動射出弁を備え、この直線流動射出弁は、固定部材と、可動部材とを備え、固定部材および可動部材は、表面でインターフェイス接続し、可動部材は、表面に沿って摺動するように配置され直線流動射出弁は、さらに、固定部材と可動部材の間に配置され、表面によって境界付けられたチャンバを備える。可動部材は、チャンバとインターフェイス接続する第１の開口部、およびチャンバとインターフェイス接続しない可動部材の表面上の第２の開口部を有する第１の流動導管と、チャンバとインターフェイス接続する第１の開口部、およびチャンバとインターフェイス接続しない可動部材の表面上の第２の開口部を有する第２の流動導管と、チャンバとインターフェイス接続しない可動部材のそれぞれ表面上の、第１の開口部および第２の開口部を有する第３の流動導管と、チャンバとインターフェイス接続する可動部材のそれぞれ表面上の、第１の開口部および第２の開口部を有する第４の流動導管とを有する。
【００１６】
複合弁の直線流動射出弁は、さらに、（ａ）第１のピン遮断弁と、（ｂ）第２のピン遮断弁と、（ｃ）第３のピン遮断弁と、（ｄ）第４のピン遮断弁との少なくとも１つを備えている。第１のピン遮断弁は、内部導管を有し、第１のピン遮断弁の内部導管が、可動部材の第１の流動導管上の第１の開口部と流体連通するように移動可能に配置され、かつ第３の流動導管の第１の開口部と流体連通するように移動可能に配置されるように、チャンバとインターフェイス接続する固定部材の開口部内に配置されている。第２のピン遮断弁は、内部導管を有し、第２のピン遮断弁の内部導管が、可動部材の第２の流動導管上の第１の開口部と流動連通するように移動可能に配置され、かつ第３の流動導管の第２の開口部と流体連通させるように移動可能に配置されるように、チャンバとインターフェイス接続する固定部材の開口部内に配置されている。第３のピン遮断弁は、内部導管を有し、第３のピン遮断弁の内部導管が、第４の流動導管の第１の開口部と流体連通するように移動可能に配置され、かつ第１の流動導管の第１の開口部と流体連通するように移動可能に配置されるように、チャンバとインターフェイス接続する固定部材の開口部内に配置されている。第４のピン遮断弁は、内部導管を有し、第４のピン遮断弁の内部導管が、第４の流動導管の第２の開口部と流体連通するように移動可能に配置され、かつ第２の流動導管の第１の開口部と流体連通するように移動可能に配置されるように、チャンバとインターフェイス接続する固定部材の開口部内に配置されている。
【００１７】
当業者は、回転遮断および直線射出、直線遮断および回転射出、回転射出および回転遮断、ならびに直線射出および直線遮断の複合弁などのあらゆる組合せを構成することができることが分かる。さらに、回転射出、回転遮断、直線射出、および直線遮断の弁のいずれも、個別に構成することができる。
【００１８】
本発明は、また、流動射出弁を作動させる方法を対象とし、流動射出弁は、可動部材を備え、可動部材は、第１および第２のピン遮断弁の内部導管とインターフェイス接続し、可動部材の表面に開口する第１および第２の導管を有し、流動射出弁はさらに、第１のピン遮断弁の内部導管と第２のピン遮断弁の内部導管との間での流体連通することを可能にする第３の導管と、流体流を提供する第３のピン遮断弁の内部導管と流体流を排出する第４のピン遮断弁の内部導管との間での流体連通をすることを可能にする第４の導管とを有する。
【００１９】
（Ａ）流体流を提供する第３のピン遮断弁が、流体流を排出する第４のピン遮断弁と流体連通し、第１のピン遮断弁が、第１の導管と流体連通し、かつ第２のピン遮断弁が、第２の導管と流体連通するように、弁は、流れ遮断の初期位置にあり、この方法は、
（Ｉ）第１のピン遮断弁が第１の導管とインターフェイス接続しており、
（１）第１のピン遮断弁を第１の導管から離れるように移動させ、
（２）可動部材を移動させ、
（３）第１のピン遮断弁内の内部導管が、第３の導管とインターフェイス接続するように、第１のピン遮断弁を可動部材に向かって移動させるステップと、
（ＩＩ）第２のピン遮断弁が第２の導管とインターフェイス接続しており、
（１）第２のピン遮断弁を第２の導管から離れるように移動させ、
（２）可動部材を移動させ、
（３）第２のピン遮断弁内の内部導管が、第３の導管とインターフェイス接続するように、第２のピン遮断弁を可動部材に向かって移動させ、それによって第１のピン遮断弁と第２のピン遮断弁との間の流体連通を確立するステップと、
（ＩＩＩ）第３のピン遮断弁が、第４の導管とインターフェイス接続しており、
（１）第３のピン遮断弁を第４の導管から離れるように移動させ、
（２）可動部材を移動させ、
（３）第３のピン遮断弁の内部導管との流体連通を確立するように、第３のピン遮断弁を第１の導管に向かって移動させるステップと、
（ＩＶ）第４のピン遮断弁が、第４の導管とインターフェイス接続しており、
（１）第４のピン遮断弁を第４の導管から離れるように移動させ、
（２）可動部材を移動させ、
（３）第４のピン遮断弁の内部導管との流体連通を確立するように、第４のピン遮断弁を第２の導管に向かって移動させるステップとを含んでいる。
【００２０】
（Ｂ）（ａ）流体流を提供する第３のピン遮断弁が、第１の導管とインターフェイス接続すること、および（ｂ）流体流を排出する第４のピン遮断弁が、第２の導管とインターフェイス接続することの少なくとも一方となるように、弁は、流れスループットの初期位置にあり、この方法は、
（ＩＩＩ）第３のピン遮断弁が、第１の導管とインターフェイス接続しており、
（１）第３のピン遮断弁を第１の導管から離れるように移動させ、
（２）可動部材を移動させ、
（３）第３のピン遮断弁内の内部導管が、第４の導管とインターフェイス接続するように、第３のピン遮断弁を可動部材に向かって移動させるステップと、
（ＩＶ）第４のピン遮断弁が、第２の導管とインターフェイス接続しており、
（１）第４のピン遮断弁を第２の導管から離れるように移動させ、
（２）可動部材を移動させ、
（３）第２のピン遮断弁内の内部導管が、第１の導管とインターフェイス接続するように、第４のピン遮断弁を可動部材に向かって移動させるステップと、
（Ｖ）第１のピン遮断弁が、第３の導管とインターフェイス接続し、
（１）第１のピン遮断弁を前記第３の導管から離れるように移動させ、
（２）可動部材を移動させ、
（３）第１のピン遮断弁内の内部導管が、第１の導管とインターフェイス接続するように、第１のピン遮断弁を可動部材に向かって移動させるステップと、
（ＶＩ）第２のピン遮断弁が、第３の導管とインターフェイス接続し、
（１）第２のピン遮断弁を第３の導管から離れるように移動させ、
（２）可動部材を移動させ、
（３）第２のピン遮断弁内の内部導管が、第２の導管とインターフェイス接続するように、第２のピン遮断弁を可動部材に向かって移動させるステップとを含んでいる。
【００２１】
本発明の別の実施形態では、本発明は、また複合弁を作動させる方法を対象とし、複合弁は、流動遮断弁を備え、流動遮断弁は、可動部材の表面に開口する第１および第２のピン遮断弁の内部導管とインターフェイス接続する第１および第２の導管を有する可動部材と、第１および第２のピン遮断弁の内部導管とインターフェイス接続する第１および第２のブランク開口部を備える。
【００２２】
（Ａ）（ａ）流体流を提供する第１のピン遮断弁が、第１のブランク開口部とインターフェイス接続すること、および（ｂ）流体流を排出する第２のピン遮断弁が、第２のブランク開口部とインターフェイス接続することの少なくとも一方となるように、弁は、流れ遮断の初期位置にあり、この方法は、
（Ｉ）第１のピン遮断弁が、第１のブランク開口部とインターフェイス接続し、
（１）第１のピン遮断弁を第１のブランク開口部から離れるように移動させ、
（２）可動部材を移動させ、
（３）第１のピン遮断弁内の内部導管が、可動部材の表面に開口する第１の導管とインターフェイス接続するように、第１のピン遮断弁を可動部材に向かって移動させるステップと、
（ＩＩ）第２のピン遮断弁が、第２のブランク開口部とインターフェイス接続し、
（１）第２のピン遮断弁を第２のブランク開口部から離れるように移動させ、
（２）可動部材を移動させ、
（３）第２のピン遮断弁内の内部導管が、可動部材の表面に開口する第２の導管とインターフェイス接続するように、第２のピン遮断弁を可動部材に向かって移動させるステップとを含んでいる。
【００２３】
（Ｂ）（ａ）流体流を提供する第１のピン遮断弁が、第１の導管とインターフェイス接続すること、および（ｂ）流体流を排出する第２のピン遮断弁が、第２の導管とインターフェイス接続することの少なくとも一方となるように、弁は、流れスループットの初期位置にあり、この方法は、
（ＩＩＩ）第１のピン遮断弁が、第１の導管とインターフェイス接続しており、
（１）第１のピン遮断弁を第１の導管から離れるように移動させ、
（２）前記可動部材を移動させ、
（３）第１のピン遮断弁内の内部導管が、第１のブランク開口部とインターフェイス接続するように、第１のピン遮断弁を可動部材に向かって移動させるステップと、
（ＩＶ）第２のピン遮断弁が、第２の導管とインターフェイス接続しており、
（１）第２のピン遮断弁を第２の導管から離れるように移動させ、
（２）可動部材を移動させ、
（３）第２のピン遮断弁内の内部導管が、第２のブランク開口部とインターフェイス接続するように、第２のピン遮断弁を可動部材に向かって移動させるステップとを含んでいる。
【００２４】
流動射出弁を作動させる方法では、可動部材の表面に開口する第１および第２の導管は、高圧液体クロマトグラフィ（ＨＰＬＣ）システムの試料ループと流体連通されることができる、または第１および第２のピン遮断弁は、高圧液体クロマトグラフィ（ＨＰＬＣ）システムの針およびシリンジと流体連通されることができる、または第３および第４のピン遮断弁は、高圧液体クロマトグラフィ（ＨＰＬＣ）システムのポンプおよびカラムと流体連通されることができる。
【００２５】
複合弁を作動させる方法では、複合弁はまた、流動射出弁を備え、流動射出弁は、可動部材の表面に開口する第１および第２のピン遮断弁の内部導管とインターフェイス接続する第１および第２の導管を有する可動部材と、第１のピン遮断弁の内部導管と第２のピン遮断弁の内部導管との間の流体連通を可能にする第３の導管と、流体流を提供する第３のピン遮断弁の内部導管と流体流を排出する第４のピン遮断弁の内部導管との間の流体連通を可能にする第４の導管とを備える。
【００２６】
（Ａ）流体流を提供する第３のピン遮断弁が、流体流を排出する第４のピン遮断弁と流体連通し、第１のピン遮断弁が、第１の導管と流体連通し、かつ第２のピン遮断弁が、第２の導管と流体連通するように、弁は、流れ遮断の初期位置にある。この方法は、
（Ｉ）第１のピン遮断弁が、第１の導管とインターフェイス接続しており、
（１）第１のピン遮断弁を第１の導管から離れるように移動させ、
（２）可動部材を移動させ、
（３）第１のピン遮断弁内の内部導管が、第３の導管とインターフェイス接続するように、第１のピン遮断弁を可動部材に向かって移動させるステップと、
（ＩＩ）第２のピン遮断弁が、第２の導管とインターフェイス接続しており、
（１）第２のピン遮断弁を第２の導管から離れるように移動させ、
（２）可動部材を移動させ、
（３）第２のピン遮断弁内の内部導管が、第３の導管とインターフェイス接続するように、第２のピン遮断弁を可動部材に向かって移動させ、それによって第１のピン遮断弁と第２のピン遮断弁との間の流体連通を確立するステップと、
（ＩＩＩ）第３のピン遮断弁が、前記第４の導管とインターフェイス接続しており、
（１）第３のピン遮断弁を第４の導管から離れるように移動させ、
（２）可動部材を移動させ、
（３）第３のピン遮断弁の内部導管との流体連通を確立するように、第３のピン遮断弁を第１の導管に向かって移動させるステップと、
（ＩＶ）前記第４のピン遮断弁が、第４の導管とインターフェイス接続しており、
（１）第４のピン遮断弁を第４の導管から離れるように移動させ、
（２）可動部材を移動させ、
（３）第４のピン遮断弁の内部導管との流体連通を確立するように、第４のピン遮断弁を第２の導管に向かって移動させるステップとを含んでいる。
【００２７】
複合弁を作動させる方法はまた、（Ｂ）（ａ）流体流を提供する第３のピン遮断弁が、第１の導管とインターフェイス接続すること、および（ｂ）流体流を排出する第４のピン遮断弁が、第２の導管とインターフェイス接続することの少なくとも一方となるように、弁は、流れスループットの初期位置にあり、この方法は、
（ＩＩＩ）第３のピン遮断弁が、第１の導管とインターフェイス接続しており、
（１）第３のピン遮断弁を第１の導管から離れるように移動させ、
（２）可動部材を移動させ、
（３）第３のピン遮断弁内の内部導管が、第４の導管とインターフェイス接続するように、第３のピン遮断弁を可動部材に向かって移動させるステップと、
（ＩＶ）第４のピン遮断弁が、第２の導管とインターフェイス接続しており、
（１）第４のピン遮断弁を第２の導管から離れるように移動させ、
（２）可動部材を移動させ、
（３）第２のピン遮断弁内の内部導管が、第１の導管とインターフェイス接続するように、第４のピン遮断弁を可動部材に向かって移動させるステップと、
（Ｖ）第１のピン遮断弁が、第３の導管とインターフェイス接続し、
（１）第１のピン遮断弁を前記第３の導管から離れるように移動させ、
（２）可動部材を移動させ、
（３）第１のピン遮断弁内の内部導管が、第１の導管とインターフェイス接続するように、第１のピン遮断弁を可動部材に向かって移動させるステップと、
（ＶＩ）第２のピン遮断弁が、第３の導管とインターフェイス接続し、
（１）第２のピン遮断弁を第３の導管から離れるように移動させ、
（２）可動部材を移動させ、
（３）第２のピン遮断弁内の内部導管が、第２の導管とインターフェイス接続するように、第２のピン遮断弁を可動部材に向かって移動させるステップとを含んでいる。
【００２８】
複合弁を作動させる方法では、流動射出弁の可動部材の表面に開口する第１および第２の導管は、高圧液体クロマトグラフィ（ＨＰＬＣ）システムの試料ループと流体連通されることができる、または流動射出弁の第１および第２のピン遮断弁は、高圧液体クロマトグラフィ（ＨＰＬＣ）システムの針およびシリンジと流体連通されることができる、または流動射出弁の第３および第４のピン遮断弁は、高圧液体クロマトグラフィ（ＨＰＬＣ）システムのポンプおよびカラムと流体連通されることができる。
【００２９】
本発明のこれらおよび他の特徴、利益、および利点は、以下の文章および図を参照することにより明らかになるだろう。同様の参照符号は、図面を通して同様の構造体を言及する。
【００３０】
本出願は、参照によって同時に出願した同時係属仮出願（代理人整理番号ＷＡＡ−３５８）を組み込む。
【発明を実施するための最良の形態】
【００３１】
本発明は、高圧流体のための複合流動高圧遮断弁の組合遮断弁を記載している。組合遮断弁は、ＨＰＬＣシステムで使用される従来の面剪断弁に取って代わることができる。回転子は、高圧流体システム、特に高圧液体クロマトグラフィで習慣的に使用されるような面剪断弁に起こる流れを一時的に遮断することなく、別の流路への切換を可能にするように、高圧流体システムで使用されるように構成されている。試料流体射出回路は、ＨＰＬＣシステムの残りから遮断されることができる。複合組合流動遮断弁は、それぞれ、そこを通る孔を有するハウジングと、孔内で回転可能な円筒形回転子とを備えている。
【００３２】
遮断回転子が、射出段階中に流体流位置にある場合、流体は、ポンプから遮断弁を通って試料射出回路まで流れ、弁の別の部分を通って戻り、その後カラムに流れる。回転子を９０度旋回させることによって、流体止めポートは、流体の流れを防ぎ、ＨＰＬＣシステムの残りから試料回路を遮断する。
【００３３】
特に、図１Ａでは、組合または複合遮断弁１０の射出弁３００の射出回転子１１は、装填段階で、回転子１１の側部のポート１４で弁ピン１への針１２と流体連通していることが示されている。組合または複合遮断弁１０は、遮断弁２００および射出弁３００からなっている。試料流体は、ピン１から内部導管１６内に流れる。試料流体は、典型的には約９０度の曲がり１５を経て、回転子１１の外側表面上のポート１８に流れる。ポート１８は、入口可撓性管２０に、それに応じて試料ループ２２に流体結合し、それによって試料流体が、試料ループ２２内に流れ、出口可撓性管２４を通って外に流れることが好ましい。
【００３４】
出口可撓性管２４は、弁ピン２を通して回転子１１の外側表面上にあるポート２６に、その後内部導管２８に流体結合していることが好ましい。試料流体は、典型的には約９０度の曲がり２９を経て、回転子１１の反対側のポート３０に流れる。シリンジ３２は、ポート３０に流体結合して、試料流体を引き上げるために、可撓性管２４、試料ループ２２、可撓性管２０、および針１２内に負圧を提供し、試料流体を試料ループ２２内に吸引することができる。
【００３５】
射出回転子１１は、内部チャネル４４を通してインターフェイス接続するポート４０および４２と、内部チャネル５０を通してインターフェイス接続するポート４６および４８とを備えている。環状空間５２は、回転子１１の一方側に形成されており、ポート１４、４０、および４６間に流体連通を提供する。環状空間５４は、回転子１１の反対側に形成されており、ポート３０、４２、および４８間に流体連通を提供する。
【００３６】
装填段階中、射出回転子１１は、遮断回転子６１により、高圧ポンプ１０１およびカラム１０２から遮断される。２つの回転子１１および６１は、高圧配管３６および３８を通してインターフェイス接続している。特に、高圧配管３６は、ポート４６で弁ピン３を通して内部チャネル５０と流体結合しており、高圧配管３８は、弁ピン４を通して内部チャネル５０と流体結合している。高圧配管３６は、ブランクポート８２で回転子６１とインターフェイス接続する弁ピン５を通して遮断回転子６１に流体結合されている。それに応じて、高圧配管３８は、ブランクポート８４で回転子６１とインターフェイス接続する弁ピン６を通して遮断回転子６１に流体結合されている。したがって、装填段階中、高圧配管３６および３８内の圧力は、ほぼ大気圧、すなわち０ｐｓｉｇまたは０．１０１ＭＰａ絶対単位である。
【００３７】
遮断回転子６１は、内部チャネル６６を通してインターフェイス接続するポート６２および６４を備えている。高圧ポンプ１０１は、内部チャネル７４によりポート７０に流体結合している。ポンプ１０１は、ポート７８で回転子６１の外側表面とインターフェイス接続している。同様に、カラム１０２は、内部チャネル７６によりポート７２に流体結合している。カラム１０２は、ポート８０で回転子６１の外側表面とインターフェイス接続している。
【００３８】
射出回転子１１は、ポート４０でインターフェイス接続する洗浄ポンプ、およびポート４２でインターフェイス接続する洗浄排出部を備えることができる。停滞流が、内部回転子通路４４内で起こる可能性があるので、回転子洗浄供給連結部１１０が、別個の洗浄ポンプ（図示せず）から連結するために設けられ、洗浄排出部の連結部１１２が、使用済みの洗浄溶液を排出することが可能になるように設けられている。
【００３９】
洗浄ポンプは、試料射出の後の内部チャンバ４４を洗浄する。環状空間８８が、回転子６１の一方側に形成されて、ポート６２と７０の間の流体連通を提供する。環状空間９０が、回転子６１の反対側に形成されて、ポート６４と７２の間の流体連通を提供する。
【００４０】
図１Ｂは、試料ループ２２内への試料の装填と、ループ２２内の試料が高圧ポンプ１０１によって射出される射出段階との間の移行段階を示している。移行段階中、遮断回転子６１は、装填段階の間と同様に同じ位置に留まっている。射出回転子１１の方向のみが変えられる。特に、回転子１１は回転し、それによって弁ピン１および２は、試料ループ２２から外れ、それによって針１２およびシリンジ管３２を試料ループ２２から遮断する。弁ピン１はポート４０内に挿入され、弁ピン２はポート４２内に挿入され、それによって針およびシリンジが、内部導管４４を通して互いに流体結合される。
【００４１】
図１Ｃは、高圧液体が、ポンプ１０１から試料ループ２２まで、またカラム１０２の上まで供給される射出段階を示している。特に、射出段階では、回転子１１は、移行段階中に達成される位置に留まっている。回転子６１は回転し、それによって弁ピン５および６は、それぞれブランクポート８２および８４から外れている。弁ピン５は、次にポート７０に連結されて、ポンプ１０１と高圧配管３６との間に流体連通が生じる。それに応じて、弁ピン６は、次にポート７２に連結されて、高圧配管３８とカラム１０２の間に流体連通が生じる。
【００４２】
回転子６１の両側に形成された環状空間８８および９０は、回転子６１に高圧密封環を提供する。
【００４３】
当業者は、図１Ｃに示す射出段階の後に、図１Ｂに示す移行段階、その後、図１Ａに示す装填段階まで動作を逆転させることによって、流動遮断弁２００および流動射出弁３００を、装填段階に戻すことができることが分かるだろう。
【００４４】
図２Ａは、弁アセンブリ２００を形成するように弁体内に配置された場合の、遮断回転子６１の斜視図である。弁アセンブリ２００の構成要素は、典型的には、中心線２００ＣＬなどの回転軸の周りに集められている。特に、回転子６１は、固定子２０２および２０４が、回転子６１のいずれかの端部に配置されるように位置決めされている。皿ばね２２０および２２２は、回転子６１に作用する中心線２００ＣＬに沿って軸方向負荷を偏向させる。皿ばね２２０および２２２ならびに皿ワッシャ２３２および２３４は、フランジ２２４および２２６により、両方の固定子２０２および２０４の端部に取り付けられている。荷重ワッシャ２２４および２２６は、球状ナット２２８および２３０によって定位置に係止されている。両方の組の密封層２０６および２０８は、それぞれ皿ばねワッシャ２３２および２３４によって加えられる軸力によって圧縮される。回転子６１は、ＰＥＥＫ（ポリエーテルエーテルケトン）またはＰＥＥＫ混合物からなっていることが好ましい。回転子クランプ２４０ならびに固定子２０２および２０４は、タイプ３１６ステンレススチールからなっていることが好ましい。
【００４５】
前述の材料は、限定的なものではなく、当業者は他の材料を利用することができる。
【００４６】
回転子６１は、図では切取図で、固定子２０２と２０４との間に配置されていることが示されている。回転子６１は、それぞれ弁ピン５および６の周りに設置された１組の３つの密封層２０６および２０８によって密封されている。密封層２０６および２０８用の好ましい材料は、この順でＰＥＥＫ、ＰＴＦＥ（ポリテトラフルオロエチレン）、ＰＥＥＫを含んでいる。
【００４７】
前述の材料は、限定的なものではなく、当業者は他の材料を利用することができる。
【００４８】
流動遮断弁２００のそれぞれの端部２４２および２４４は、固定子２０２および２０４と、密封層２０６および２０８と、皿ばねワッシャ２３２および２３４と、皿ばね２２０および２２２と、荷重ワッシャ２２４および２２６と、球状ナット２２８および２３０とを備えていると考えることができる。
【００４９】
図２Ｂは、流動遮断弁２００の実施形態の第１の変更形態を含む、構成要素の一部の展開図である。ポンプ供給取り付け具１０１は、回転子６１内のポート７８とインターフェイス接続し、カラム取り付け具１０２への出口供給は、回転子６１内のポート８０とインターフェイス接続する。面密封弁供給ピン６は、固定子２０４によって囲まれ、回転子６１の一端部とインターフェイス接続し、面密封弁排出ピン５は、固定子２０２によって囲まれ、固定子６１の反対側の端部とインターフェイス接続する。通常の動作中、固定子２０２および２０４によって囲まれるピン５および６だけが、回転子６１から離れるように、またはこれに向かって戻るように移動される。ポンプ供給取り付け具１０１およびカラム取り付け具１０２への出口供給は、回転子６１の回転と共に回転することを除いて、通常は定位置に維持されている。回転子６１および回転子クランプ９１は、駆動ギア２０５により中心線２００ＣＬの周りに回転する。
【００５０】
回転子６１が、流体流位置にある場合、流体は、別の高圧ポンプから遮断弁２００を通して、遮断弁１０の試料射出回路へ、また遮断弁２００へ戻り、その後カラムまで流れる。
【００５１】
回転子６１が、好ましくは９０度の角度まで駆動ギア２０５により、回転中心線２００ＣＬの軸の周りに回転すると、ピン５および６は、流体の流れを防ぎ、かつＨＰＬＣシステムの残りから射出弁１０の試料回路を遮断する、ブランク流体流止めポート８２および８４に再び位置決めされる。当業者は、駆動ギア２０５は、回転子クランプ９４とは別個のユニットであるが、回転子クランプ９４とさらには回転子６１と組み合わされた一体型構造であってもよいことが分かる。加えて、駆動ギアとして示されているが、例えば操作ハンドルなどの当業者に知られている他の手段を利用することができる。
【００５２】
ポート７８および８０は、回転子の外側表面上で互いに約９０度の角度だけずれていることが好ましいが、ポートは、互いに隣接して位置合わせされることができる。ずれは、密封のためのねじ連結の利点、およびより大きな直径の栓穴の結果的な必要性により好ましい。ねじ付き栓穴は、一般に、直径が７．９ｍｍ（１６分の５インチ）である。
【００５３】
図３Ａは、図１Ａ〜１Ｃの複合流動遮断弁のハウジング３１０の平面図である。図３Ｂは、図１Ａ〜１Ｃの複合流動遮断弁のハウジングの正面図である。
【００５４】
遮断弁アセンブリ２００は、ハウジング３１０内に配置されている。射出固定子１１は、中心線３００ＣＬなどの回転軸の周りで射出弁アセンブリ３００内に配置されている。遮断弁アセンブリ２００、および射出弁アセンブリ３００は、回転中心線２００ＣＬおよび３００ＣＬの軸が、互いに平行であるように、端板３１２および３１４を通してハウジング３１０内に配置されていることが好ましい。弁アセンブリ２００および３００は、当業者に知られているカム機構３２０などの手段によって操作される。
【００５５】
図３Ｃは、図３Ａの遮断弁アセンブリの一部の詳細図である。前と同様に、回転子６１は、固定子２０２および２０４が回転子６１のいずれかの端部に配置されるように、位置決めされている。皿ばね２２０および２２２は、回転子６１に作用する中心線２００ＣＬに沿って軸方向負荷を偏向させる。皿ばね２２０は、荷重ワッシャ２２４により固定子２０２の一端部に取り付けられている。荷重ワッシャ２２４は、球状ナット２２８によって定位置に係止されている。密封層の組２０６は、皿ばねワッシャ２３２によって加えられた軸力によって圧縮される。球面ナット２２８および２３０（図示せず）は、それぞれハウジングの端板３１２および３１４によって支持され、これを貫通する。
【００５６】
図２Ａに関して前に説明したように、回転子６１は、図３Ｃの切取図では固定子２０２と２０４との間に配置されている。回転子６１は、それぞれピン弁５および６の周りに設置された１組の３つの密封層２０６および２０８によって密封されている。前に記したように、密封層のための好ましい材料および配置は、この順でＰＥＥＫ、ＰＴＦＥ、ＰＥＥＫを含んでいる。流動遮断弁アセンブリ２００の弁端部２４０は、固定子２０２と、密封層２０６と、皿ばねワッシャ２３２と、皿ばね２２０と、荷重ワッシャ２２４と、球状ナット２２８とを備えていると考えることができる。当業者は、遮断弁アセンブリ２００の反対側の弁端部は、典型的には対称であり、それによって典型的には対応する対称構成要素からなっていることが分かる。
【００５７】
加えて、当業者は、組合遮断弁１０の遮断弁２００および射出弁３００はまた、参照によって組み込まれる前に開示した、米国同時係属仮特許出願（代理人整理番号ＷＡＡ−３５８）に記載した実施形態のあらゆる組合せで、代替実施形態のいずれかによって構成されることができることが分かる。すなわち、第１および第２の実施形態、または第１および第３の実施形態、第２および第３の実施形態、第２の実施形態のみ、または第３の実施形態のみのいずれかを、遮断弁２００および射出弁３００としてそれに応じて適用させることができる。
【００５８】
第２の実施形態では、図４Ａおよび図４Ｂは、それぞれ図２Ａおよび図２Ｂに示す回転子６１のほぼ円筒形の第２の実施形態と同様の構成を有する、組合直線流動遮断弁８００および直線流動射出弁８５０を示している。直線流動遮断弁８００は、固定部材８０２および可動部材８０４からなっている。可動部材８０４は、回転動作で移動する代わりに、可動部材８０４が固定部材８０２を通って直線的に摺動することによって移動することを除いて、回転子２０２と同様である。可動部材８０４は、例えばこれに限らないが、楕円形または円滑な丸みを帯びた角の四角形などの、あらゆる他のタイプの断面を有することができる。回転部材８０４は、金属、ポリマー、またはサファイアのいずれかでできていることが好ましい。
【００５９】
固定部材８０２は、可動スライダ部材８０４を囲む２つの表面８０６ａおよび８０６ｂからなっている。２つの表面８０６ａおよび８０６ｂはそれぞれ、自己付勢リップシール８０８ａおよび８０８ｂを備えている。固定部材８０２はまた、可動部材を囲むインターフェイス表面８１０を形成する。
【００６０】
高圧ポンプ１０１からの管取り付け具７は、可動部材８０４のポート３５２内に挿入され、そこで外部漏洩を実質的に防ぐように密封される。流れは、可撓性導管３１６および継手３１２により、高圧ポンプ１０１からピン取り付け具７に提供される。取り付け具７内の内部導管３８は、可動部材８０４内の内部導管８４０、およびインターフェイス表面８１０上の開口ポート８６０と流体連通している。開口ポート８６０は、インターフェイス表面８１０によって境界付けられた固定部材８０２内の空間８１２のチャンバまたは容量と流体連通している。固定部材８０２および可動部材８０４内の空間８１２の容量は、自己付勢リップシール８０８ａおよび８０８ｂによって密封されている。遮断弁ピン５は、弁ピン５が直線的に上下に移動することができるように、貫通部８２２で固定部材８０２を貫通する。
【００６１】
継手６２により、弁ピン５内の内部導管５８は、直線流動射出弁８５０のピン遮断弁３への導管配管８３４と流体連通している。面密封弁１０からの導管配管６６は、その後、継手７０によりピン遮断弁７８の内部導管８２に流体結合されている。
【００６２】
同様に、遮断弁ピン６は、弁ピン６が直線的に上下に移動できるように、貫通部８２４で固定部材８０２を貫通する。ピン遮断弁７８内の内部導管８２は、その後、インターフェイス表面８１０によって境界付けられた固定部材８０２内の空間８１２の容量と流体連通している。弁ピン６は、インターフェイス表面８１０上の開口ポートとインターフェイスするように配置される。開口ポート８８０は、空間８１２の容量と流体連通している。
【００６３】
ピン遮断弁５および６を密封するため、固定部材８０２は、それぞれ自己付勢リップシール８２０ａおよび８２０ｂを備えている。リップシールは、Ｎｅｗ  Ｙｏｒｋ、Ｈｏｏｓｉｃｋ  ＦａｌｌｓのＦｕｒｏｎ，Ｉｎｃ．から市販されている。
【００６４】
射出段階中、ピン遮断弁６内の内部導管８２はまた、可動部材８０４内の内部導管８７６、および可動部材８０４の反対側の端部の開口ポート８７４と流体連通している。取り付け具８は、開口ポート８７４内に挿入され、それによって取り付け具８内の内部導管９６は、試料ループ２２と流体連通している。取り付け具８内の内部導管９６は、継手３１４によって取り付け具８に結合された可撓性導管３１８により、カラムと流体連通している。
【００６５】
装填段階中、ピン遮断弁６は、可動部材８０４の表面８１０上のブランクポート８９２とインターフェイス接続するように位置決めされている。同様に、ピン遮断弁５は、可動部材８０４の表面８１０上のブランクポート８８８とインターフェイス接続するように位置決めされている。これらの動作は、第１の実施形態で前に論じたように、高圧ポンプから直線流動射出弁８５０、およびカラムへの流れを効果的に遮断する。
【００６６】
これに限らないが、移動部材８０４に結合された直線モータ８６４などの、移動部材８０４を横方向に移動させる手段が提供され、ピン５および６を、それぞれ開口ポート８６０および８８０とブランクポート８８８および８９２との間で移動させることが可能になる。
【００６７】
直線流動射出弁８５０は、回転射出弁３００と類似している。直線弁８５０は、固定部材８０２’および可動部材８０４’を備えている。２つの部材８０２’および８０４’は、表面８１０’でインターフェイス接続する。可動部材８０４’は、表面８１０’に沿って摺動し、固定部材８０２’は、定位置に留まる。この構成では、内部導管５８’を有し、可撓性導管８３４を通して高圧ポンプから運ばれる流体流を受けるピン遮断弁３は、ポート８２２’で固定部材８０２’を貫通する。ピン遮断弁３は、継手６２’により導管８３４に結合され、固定部材８０２’内に移動可能に配置され、それによって遮断弁ピン３は、上下に移動することができ、弁ピン３の内部導管５８は、可動部材８０４’を通して第２の開口部８８０’まで通過する内部導管８９０’を通る流れの第１の開口部８６０’と流体連通している。第１の開口部８６０’および第２の開口部８８２’は両方とも、インターフェイス表面８１０’によって境界付けられた固定部材８０２’内の空間８１２’のチャンバまたは容量とインターフェイス接続している。固定部材８０２’および可動部材８０４は、チャンバ８１２’を密封するように働く。
【００６８】
遮断弁ピン４は、第２の開口部８８０’の固定部材８０２’内に移動可能に配置されており、それによって遮断弁ピン４は、囲まれた流動チャネル８９０’の第２の開口部８８０’と流体連通している。内部導管９６を有し、流体流を高圧ポンプ１０１からカラム１０２に可撓性導管８３６を通して運ぶ遮断弁ピン４は、ポート８２４’で固定部材８０２’を貫通し、継手８５４’により可撓性導管８３６に結合されている。可撓性導管８３６は、継手７０により直線遮断弁８００の遮断弁ピン６に結合されている。
【００６９】
可撓性導管８５２’は、遮断弁ピン１は上下に移動することができるように、固定部材８０２’内に移動可能に配置された遮断弁ピン１の内部導管８１２’と流体結合するように針１２と流体結合され、それによって弁ピン１の内部導管８１２’は、可撓性導管８３４’を通して試料ループ２２に流体結合するように可動部材８０４’を通過する、囲まれた流動チャネル８８６’の第１の開口部８９２’と流体連通している。
【００７０】
シリンジ３２は、遮断弁ピン２は上下に移動することができるように、固定部材８０２’内に移動可能に配置された遮断弁ピン２の内部導管８５８’とその後流体結合する可撓性導管８５６’と流体結合され、それによって弁ピン２の内部導管８５８’は、可撓性導管８３６’を通して試料ループ２２に流体結合するように可動部材８０４’を通過する、流動内部導管８７６’の第１の開口部８７４’と流体連通している。
【００７１】
可動部材８０４’内の開口ポート８９４’および８９６’は、流動内部導管８９８’の端部として働き、それによってピン１およびピン２が、それぞれ開口ポート８９４’および８９６’とインターフェイス接続するように再位置決めされると、針１２およびシリンジ３２は、互いに直接流体結合され、試料ループ２２から外される。
【００７２】
固定部材８０２’は、可動スライダ部材８０４’を囲む２つの表面８０６ａ’および８０６ｂ’からなっている。２つの表面８０６ａ’および８０６ｂ’は、それぞれ、自己付勢リップシール８０８ａ’および８０８ｂ’を備えている。固定部材８０２’はまた、可動部材８０４’を囲むインターフェイス表面８１０’を形成する。
【００７３】
遮断弁ピン１、２、３、および４を密封するため、固定部材８０２’は、それぞれ、自己付勢リップシール８２０ａ’および８２０ｂ’を備えている。
【００７４】
これに限らないが、移動チャンバ８０４’に結合された直線モータ８６４’などの、移動部材８０４’を横方向に移動させる手段が提供され、ピン１および２を、それぞれ開口ポート８９２’および８７４’と開口ポート８９４’および８９６’との間で移動させることが可能になる。直線モータ８６４’は、電気、油圧、または空気圧力などの、当業界で知られているあらゆる手段によって駆動することができる。
【００７５】
装填段階中、遮断弁ピン３は、可動部材８０４’の表面８１０’上の開口部８６０’とインターフェイス接続するように位置決めされている。同様に、遮断弁ピン４は、可動部材８０４’の表面８１０’上の開口部８８０’とインターフェイス接続するように位置決めされている。これらの動作は、高圧ポンプ１０１から試料ループ２２への流れを効果的に遮断する。というのは、ポンプ１０１からの流れは、次に、弁ピン３から内部導管８９０’を通して遮断弁ピン４を通るカラム１０２まで再循環されるからである。
【００７６】
針１２は、その後、内部導管８９８’の開口部８９４’に流体結合されている遮断弁ピン１の内部導管８１２’により、試料ループ２２に流体結合される。これに応じて、シリンジ３２は、内部導管８７６’の開口部８９６’に流体結合されている内部導管８９８’により、試料ループ２２に流体結合される。シリンジ３２は、その後、試料流体を針１２から試料ループ２２内に吸引するのに使用される。
【００７７】
移行段階中、移動部材８０４’は、横方向に移動され、それによって遮断弁ピン１は、開口部８９４’とインターフェイス接続し、遮断弁ピン２は、開口部８９６’とインターフェイス接続し、それによって針１２からシリンジ３２への流れを遮断する。それに応じて、遮断弁ピン３の内部導管５８’は、内部導管８８６’の開口部８９２’とインターフェイス接続する。遮断弁ピン４の内部導管９６’は、内部導管８７６’の開口部８７４’とインターフェイス接続する。
【００７８】
射出段階中、移行段階中での移動部材８０４’の移動の結果、遮断弁８００を通したポンプ１０１からの流れは、その後、試料ループ２２を通して、また遮断弁８００を通してカラム１０２の上に案内される。
【００７９】
第２の実施形態の別の変更形態は、双方向または鏡像設計として固定部材８０２および移動部材８０４を設計することであり、それによって移動部材８０４は、さらに、同時に第２の面密封弁を提供することができるように、ポンプおよびカラム、または第２のポンプおよびカラムのためのポートおよび内部導管を備えている。
【００８０】
高圧流体への応用例に関して説明したが、本発明の様々な実施形態は、大気圧より低い圧力を含むあらゆる作動圧力の流体、すなわち真空応用例にも適用させることができる。
【００８１】
本発明は、本明細書では、特定の例示的な実施形態に関して説明した。いくつかの変更および変形は、本発明の範囲から逸脱することなく、当業者には自明のことである。例示的な実施形態は、例示であり、特許請求の範囲によって規定される本発明の範囲を制限するものではない。
【図面の簡単な説明】
【００８２】
【図１Ａ】試料ループとインターフェイス接続する装填位置の側面断面図で、本発明の複合回転流動遮断弁の組合せを示す図である。
【図１Ｂ】試料ループとインターフェイス接続する移行位置の、図１Ａの本発明の複合回転流動遮断弁の組合せを示す図である。
【図１Ｃ】試料ループとインターフェイス接続する射出位置の、図１Ａの本発明の複合回転流動遮断弁の組合せを示す図である。
【図２Ａ】図１Ａ〜１Ｃの複合回転流動遮断弁の組合せの遮断部分の部分的に切り取った斜視図である。
【図２Ｂ】図１Ａ〜１Ｃの複合回転流動遮断弁の遮断部分の回転子の展開斜視図である。
【図３Ａ】図１Ａ〜１Ｃの複合回転流動遮断弁のハウジングの平面図である。
【図３Ｂ】図１Ａ〜１Ｃの複合回転流動遮断弁のハウジングの正面図である。
【図３Ｃ】図３Ａの回転遮断弁アセンブリの一部の詳細図である。
【図４Ａ】直線遮断弁および直線射出弁からなる複合弁としての、本発明の別の実施形態の破断線４Ｂでの分割した断面図である。
【図４Ｂ】図４Ｂの実施形態の破断線４Ａで分割した正面図である。
【図１Ａ】
2007527978.tif 000002
【図１Ｂ】
2007527978.tif 000003
【図１Ｃ】
2007527978.tif 000004
【図２Ａ】
2007527978.tif 000005
【図２Ｂ】
2007527978.tif 000006
【図３Ａ】
2007527978.tif 000007
【図３Ｂ】
2007527978.tif 000008
【図３Ｃ】
2007527978.tif 000009
【図４Ａ】
2007527978.tif 000010
【図４Ｂ】
2007527978.tif 000011
【国際調査報告】
2007527978.tif 000012
2007527978.tif 000013